(57)【特許請求の範囲】
【請求項１】
容器本体と嵌合するように構成および配設される容器を密閉するための、閉鎖システムであって、
分与部分と、第１の端部および第２の端部を有する溝形ガイドと、を備えた缶端部を、具備した固定要素であって、前記容器本体の端部に固着されるように構成および配設された固定要素と、
可動式の閉鎖要素であって、
レバーを備えた頂部カバーと、
前記レバーを受け入れるように構成および配設されたレバー受容部分を備えた密閉部分であって、それによって、前記レバーが持ち上げられるにつれて、前記密閉部分が前記缶端部から離れて下向きに移動し、前記頂部カバーが、前記溝形ガイドの前記第１の端部から前記溝形ガイドの前記第２の端部に水平方向に移動するにつれて、前記分与部分が露出する、密閉部分と、を備えた閉鎖要素と、
を具備した、閉鎖システム。
【請求項２】
第１の位置で、前記頂部カバーは、前記分与部分を覆い、前記頂部カバーの前記レバーは、前記頂部カバー上に静置され、前記密閉部分は、前記缶端部の底面と接触し、
第２の位置で、前記頂部カバーは、前記分与部分を覆い、前記レバーは、前記第１の位置に対して持ち上げられ、前記密閉部分は、前記缶端部の前記底面から所定の距離だけ離間され、
第３の位置で、前記頂部カバーおよび前記密閉部分は、前記分与部分を露出させ、前記密閉部分は、前記缶端部の前記底面から所定の距離だけ離間された、
請求項１に記載の閉鎖システム。
【請求項３】
第４の位置で、前記頂部カバーおよび前記密閉部分は、前記分与部分を露出させ、前記レバーは、前記頂部カバー上に静置するように下げられ、前記密閉部分は、前記缶端部の前記底面と接触している、請求項２に記載の閉鎖システム。
【請求項４】
第５の位置で、前記頂部カバーおよび前記密閉部分は、前記分与部分の少なくとも一部分を露出させ、前記頂部カバーの前記レバーは、前記第４の位置に対して持ち上げられ、前記密閉部分は、前記缶端部の前記底面から所定の距離だけ離間された、請求項３に記載の閉鎖システム。
【請求項５】
第６の位置で、前記頂部カバーおよび前記密閉部分は、前記分与部分の少なくとも一部分を露出させ、前記頂部カバーの前記レバーは、前記第５の位置に対して下げられ、前記密閉部分は、前記缶端部の前記底面と接触している、請求項４に記載の閉鎖システム。
【請求項６】
前記固定要素は、前記頂部カバーおよび前記密閉部分のうちの少なくとも１つの材料と適合性がある材料でできている、請求項５に記載の閉鎖システム。
【請求項７】
前記頂部カバーおよび前記密閉部分のうちの少なくとも１つは、ポリマー材料でできている、請求項６に記載の閉鎖システム。
【請求項８】
前記ポリマー材料の総重量は、１０グラム以下である、請求項７に記載の閉鎖システム。
【請求項９】
前記レバーは、前記レバー受容部分と操作可能に相互作用するように構成および配設された、請求項１に記載の閉鎖システム。
【請求項１０】
前記頂部カバーは、前記頂部カバーを前記固定要素に少なくとも部分的に固着するように構成および配設された、請求項９に記載の閉鎖システム。
【請求項１１】
前記頂部カバーは、前記レバーと嵌合するように構成および配設された、請求項１０に記載の閉鎖システム。
【請求項１２】
前記頂部カバーは、前記頂部カバーの別の部分と嵌合し、かつ前記頂部カバーを前記固定要素に少なくとも部分的に固着するように構成および配設された、請求項１１に記載の閉鎖システム。
【請求項１３】
前記頂部カバーは、前記頂部カバーの前記溝形ガイドとの整合を維持するように構成および配設された、請求項１２に記載の閉鎖システム。
【請求項１４】
前記容器内の内容物は、加圧され、前記密閉部分は、前記容器内から圧力を解放するように構成および配設された、請求項９に記載の閉鎖システム。
【請求項１５】
前記レバーは、前記容器内から圧力を解放するように、前記密閉部分と操作可能に相互作用する、請求項１４に記載の閉鎖システム。
【請求項１６】
圧力は、前記レバーが前記頂部カバー上の静置位置から所定の角度まで持ち上げられた時に、前記容器から解放された、請求項１５に記載の閉鎖システム。
【請求項１７】
前記レバーが持ち上げられるにつれて、前記容器内から圧力を解放するように、前記レバーの一部分が前記密閉部分と整合してなる、請求項１６に記載の閉鎖システム。
【請求項１８】
前記頂部カバーは、前記レバーを静置位置に固着するように構成および配設された、請求項１に記載の閉鎖システム。
【請求項１９】
前記頂部カバーは、前記閉鎖システムが開口されたかどうかを示すように構成および配設された、請求項１に記載の閉鎖システム。
【請求項２０】
容器本体と嵌合するように構成および配設される容器を密閉するための、閉鎖システムであって、
分与部分と、溝形ガイドと、を備える缶端部を具備した固定要素であって、前記容器本体の端部に固着されるように構成および配設された固定要素と、
可動式の閉鎖要素であって、
把持部を備える頂部カバーと、
前記頂部カバーと操作可能に相互作用するように構成および配設された密閉部分であって、それによって、前記頂部カバーが係合するにつれて、前記密閉部分が垂直方向に移動し、前記頂部カバーが前記溝形ガイドに沿って水平方向に移動するにつれて、前記密閉部分が前記水平方向に移動する密閉部分と、を備えた閉鎖要素と、
を具備した、閉鎖システム。
【発明の詳細な説明】
【技術分野】
【０００１】
関連出願の相互参照
本出願は、２００８年１１月２６日に出願された同時係属米国特許出願第１２／３２４，３８６号、名称「ＣＯＮＴＡＩＮＥＲ」の一部継続出願であり、その全ての内容は、全ての目的に対して参照することにより本明細書に組み込まれる。
【０００２】
本発明の少なくとも１つの実施例は、概して、容器に関する。より具体的には、特定の実施例は、分与部分が、例えば容器の配送中および貯蔵中に環境から保護されたままであり、かつ消費者による使用中に環境から保護される場合があるように、衛生的な、包囲された分与部分を有する、容器または再密閉可能な容器のための閉鎖システムに関する。
【背景技術】
【０００３】
飲料、食品、および他の消費財は、消費者に対する分配および販売のために、様々な容器の中に入っている。特に、ステイオンタブ型の閉鎖具を有する従来の飲料缶は、それらの製造の容易さ、製造費用の低さ、および信頼性のため、広く使用されている。
【発明の概要】
【発明が解決しようとする課題】
【０００４】
しかしながら、飲料缶から注いでいる間に内容物と接触する、または飲料缶から飲んでいる間に消費者と直接的に接触する、缶の保護されていない外側部分に関して、衛生上の懸念が存在する。加えて、一部の消費者は、飲料缶を開口することが困難であり、この飲料缶は、開口されると再密閉することができず、または再密閉するためにかなりの手間を必要とし、よって、保護されていない外側部分の保護および開口後の貯蔵は不可能である。
【０００５】
本明細書に開示される特定の態様および実施例は、衛生的な容器およびそれらを作製する方法を提供する。
【課題を解決するための手段】
【０００６】
第１の態様によれば、容器本体および閉鎖システムを備える容器を提供する。閉鎖システムは、固定要素と、可動式の閉鎖要素とを備える。固定要素は、分与部分(dispensing portion)と、第１の端部および第２の端部を有する溝形ガイド(channel guide)とを備える、缶端部を具備している。固定要素は、容器本体の端部に固着される。可動式の閉鎖要素は、把持部を備える頂部カバーと、容器本体内に存在し、かつ溝形ガイドを受け入れるように構成および配設される溝(channel)を備える密閉部分と、溝内に位置付けられ、かつ頂部カバーと嵌合するように構成および配設される頂端部、および密閉部分と嵌合するように構成および配設される底端部を有するステム(stem)と、を備える。
【０００７】
この第１の態様によれば、第１の位置で、頂部カバーは、分与部分を覆い、密閉部分は、缶端部の底面と接触しており、ステムは、溝形ガイドの第１の端部に位置付けられる。
【０００８】
この第１の態様によれば、第２の位置で、頂部カバーは、分与部分を覆い、第１の位置に対して回転し、密閉部分は、缶端部の底面から所定の距離だけ離間され、ステムは、溝形ガイドの第１の端部に位置付けられる。
【０００９】
この第１の態様によれば、第３の位置で、頂部カバーは、分与部分を露出させ、密閉部分は、缶端部の底面から所定の距離だけ離間され、ステムは、溝形ガイドの第２の端部に位置付けられる。
【００１０】
さらなる態様によれば、固定要素と、可動式の閉鎖要素とを備え、容器本体と嵌合するように構成および配設される、容器を密閉するための閉鎖システムを提供する。固定要素は、分与部分と、第１の端部および第２の端部を有する溝形ガイドとを備えた缶端部を備え、固定要素は、容器本体の端部に固着されるように構成および配設される。可動式の閉鎖要素は、把持部を備える頂部カバーと、溝形ガイドを受け入れるように構成および配設される溝を備える密閉部分と、溝内に存在し、かつ頂部カバーと嵌合するように構成および配設される頂端部、および密閉部分と嵌合するように構成および配設される底端部を有するステムと、を具備している。このさらなる態様によれば、頂部カバーおよびステムが回転するにつれて、密閉部分は、ステムに沿って垂直に移動し、頂部カバーおよびステムが水平方向に移動するにつれて、密閉部分は、水平方向に移動する。
【００１１】
さらなる態様によれば、容器本体と嵌合するように構成および配設される、容器を密閉するための閉鎖システムを開示する。閉鎖システムは、分与部分と、第１の端部および第２の端部を有する溝形ガイドとを備えた缶端部を具備した固定要素を備えている。固定要素は、また、容器本体の端部に固着されるように構成および配設される。閉鎖要素は、頂部カバーを備えており、頂部カバーは、レバーを具備した把持部を備えた可動式の閉鎖要素を有している。可動式の閉鎖要素は、また、溝形ガイドを受け入れるように構成および配設される溝と、レバーを受け入れるように構成および配設されるレバー受容部分とを備える、密閉部分を備える。この態様によれば、頂部カバーのレバーが持ち上げられるにつれて、レバーは、密閉部分が垂直に移動するのを可能にするように移動し、レバーが水平方向に移動するにつれて、密閉部分は、水平方向に移動する。
【００１２】
さらなる態様によれば、容器を密閉するための閉鎖システムは、容器本体と嵌合するように構成および配設される。閉鎖システムは、固定要素と、可動式の閉鎖要素とを備える。固定要素は、分与部分と、第１の端部および第２の端部を有する溝形ガイドとを具備した、缶端部を備える。固定要素は、容器本体の端部に固着されるように構成および配設される。可動式の閉鎖要素は、レバーを備える頂部カバーと、レバー受容部分を備える密閉部分とを具備している。レバー受容部分は、レバーを受け入れるように構成および配設され、それによって、レバーが持ち上げられるにつれて、密閉部分が缶端部から離れて下方向に移動する。密閉部分は、また、頂部カバーが溝形ガイドの第１の端部から溝形ガイドの第２の端部まで水平に移動するにつれて、分与部分が露出するように構成および配設される。
【００１３】
さらなる態様によれば、容器本体と嵌合するように構成および配設される、容器を密閉するための閉鎖システムである。閉鎖システムは、固定要素と、可動式の閉鎖要素とを備える。固定要素は、分与部分と溝形ガイドとを備えた缶端部を備える。固定要素は、容器本体の端部に固着されるように構成および配設される。可動閉鎖具は、把持部を備える頂部カバーと、密閉部分とを備える。密閉部分は、頂部カバーと操作可能に相互作用するように構成および配設され、それによって、頂部カバーが係合されるにつれて、密閉部分が垂直方向に移動し、かつ頂部カバーが溝形ガイドに沿って水平方向に移動するにつれて、密閉部分が水平方向に移動する。
【００１４】
本発明の他の利点、新規な特徴、および目的は、添付図面とともに考慮した時に、以下の発明を実施するための形態から明らかになるであろう。
【図面の簡単な説明】
【００１５】
以下、添付図面を参照して、特定の例示的な実施例を説明する。
【図１Ａ】特定の実施例による、飲料容器の斜視図の例である。
【図１Ｂ】特定の実施例による、飲料容器の斜視図である。
【図１Ｃ】特定の実施例による、飲料容器の斜視図である。
【図２Ａ】特定の実施例による、図１Ａ〜図１Ｃに示される閉鎖システムの分解斜視図である。
【図２Ｂ】特定の実施例による、図１Ａ〜図１Ｃに示される閉鎖システムの分解斜視図である。
【図３Ａ】特定の実施例による、閉鎖システムの缶カバーの斜視図である。
【図３Ｂ】特定の実施例による、閉鎖システムの缶端部の斜視図である。
【図３Ｃ】特定の実施例による、閉鎖システムの固定要素の斜視図である。
【図３Ｄ】特定の実施例による、閉鎖システムの固定要素の斜視図である。
【図４Ａ】特定の実施例による、閉鎖システムの缶カバーの斜視図である。
【図４Ｂ】特定の実施例による、閉鎖システムの缶端部の斜視図である。
【図４Ｃ】特定の実施例による、固定要素の斜視図である。
【図４Ｄ】特定の実施例による、固定要素の斜視図である。
【図５Ａ】特定の実施例による、缶カバーの斜視図である。
【図５Ｂ】特定の実施例による、図５Ａに示される缶カバーの詳細５Ｂを示す斜視図である。
【図５Ｃ】特定の実施例による、缶端部の斜視図である。
【図５Ｄ】特定の実施例による、図５Ｃに示される缶端部の詳細５Ｄを示す斜視図である。
【図５Ｅ】特定の実施例による、図５Ａ−５Ｄの缶カバーおよび缶端部を備える固定要素の斜視図である。
【図６Ａ】特定の実施例による、固定要素の斜視図である。
【図６Ｂ】特定の実施例による、固定要素の斜視図である。
【図７Ａ】特定の実施例による、閉鎖システムの一部分の分解斜視図である。
【図７Ｂ】特定の実施例による、閉鎖システムの一部分の分解斜視図である。
【図８Ａ】特定の実施例による、図７Ａの閉鎖システムの一部分の組立斜視図である。
【図８Ｂ】特定の実施例による、図７Ｂに示される閉鎖システムの一部分の組立斜視図である。
【図９Ａ】特定の実施例による、閉鎖システムの一部分の分解斜視図である。
【図９Ｂ】特定の実施例による、閉鎖システムの一部分の分解斜視図である。
【図９Ｃ】特定の実施例による、閉鎖システムの一部分の分解斜視図である。
【図９Ｄ】特定の実施例による、閉鎖システムの一部分の分解斜視図である。
【図９Ｅ】特定の実施例による、閉鎖システムの一部分の分解斜視図である。
【図９Ｆ】特定の実施例による、閉鎖システムの一部分の分解斜視図である。
【図１０Ａ】特定の実施例による、閉鎖システムの一部分の分解斜視図である。
【図１０Ｂ】特定の実施例による、閉鎖システムの一部分の分解斜視図である。
【図１１Ａ】特定の実施例による、閉鎖システムの上面図である。
【図１１Ｂ】特定の実施例による、切断線１１Ｂ−１１Ｂに沿った、図１１Ａに示される閉鎖システムの断面図である。
【図１２Ａ】特定の実施例による、閉鎖システムの上面図である。
【図１２Ｂ】特定の実施例による、切断線１２Ｂ−１２Ｂに沿った、図１２Ａに示される閉鎖システムの断面図である。
【図１３Ａ】特定の実施例による、閉鎖システムの上面図である。
【図１３Ｂ】特定の実施例による、切断線１３Ｂ−１３Ｂに沿った、図１３Ａに示される閉鎖システムの断面図である。
【図１４Ａ】特定の実施例による、閉鎖システムの上面図である。
【図１４Ｂ】特定の実施例による、切断線１４Ｂ−１４Ｂに沿った、図１４Ａに示される閉鎖システムの断面図である。
【図１５Ａ】特定の実施例による、飲料容器の斜視図の実施例である。
【図１５Ｂ】特定の実施例による、飲料容器の斜視図の実施例である。
【図１６Ａ】特定の実施例による、図１５Ａおよび図１５Ｂに示される閉鎖システムの分解斜視図である。
【図１６Ｂ】特定の実施例による、図１５Ａおよび図１５Ｂに示される閉鎖システムの分解斜視図である。
【図１７Ａ】特定の実施例による、閉鎖システムの斜視図である。
【図１７Ｂ】特定の実施例による、図１７Ａに示される閉鎖システムの別の斜視図である。
【図１８Ａ】特定の実施例による、図１７Ａおよび図１７Ｂに示される閉鎖システムの分解斜視図であり、図１８Ｂは、特定の実施例による、図１７Ａおよび図１７Ｂに示される閉鎖システムの別の分解斜視図である。
【図１９Ａ】特定の実施例による、図１７Ａおよび図１７Ｂに示される閉鎖システムの上面図である。
【図１９Ｂ】特定の実施例による、図１９Ａに示される閉鎖システムの切断線１９Ｂ−１９Ｂに沿った、断面図である。
【図２０Ａ】特定の実施例による、閉鎖システムの上面図である。
【図２０Ｂ】特定の実施例による、図２０Ａに示される閉鎖システムの切断線２０Ｂ−２０Ｂに沿った、断面図である。
【図２１Ａ】特定の実施例による、閉鎖システムの上面図である。
【図２１Ｂ】特定の実施例による、図２１Ａに示される閉鎖システムの切断線２１Ｂ−２１Ｂに沿った、断面図である。
【図２２Ａ】特定の実施例による、閉鎖システムの上面図である。
【図２２Ｂ】特定の実施例による、図２２Ａに示される閉鎖システムの切断線２２Ｂ−２２Ｂに沿った、断面図である。
【図２３Ａ】特定の実施例による、閉鎖システムの斜視図である。
【図２３Ｂ】特定の実施例による、閉鎖システムの斜視図である。
【図２４Ａ】特定の実施例による、頂部カバーの平面図である。
【図２４Ｂ】特定の実施例による、図２４Ａの頂部カバーの斜視図である。
【図２５Ａ】特定の実施例による、レバーの平面図である。
【図２５Ｂ】特定の実施例による、図２５Ａのレバーの斜視図である。
【図２５Ｃ】特定の実施例による、図２５Ａのレバーの別の斜視図である。
【図２６Ａ】特定の実施例による、封止部分の上面図である。
【図２６Ｂ】特定の実施例による、封止部分の底面図である。
【図２６Ｃ】特定の実施例による、図２６Ａの密閉部分の切断線２６Ｃ−２６Ｃに沿った、側面断面図である。
【図２７Ａ】特定の実施例による、密閉部分の上面図である。
【図２７Ｂ】特定の実施例による、密閉部分の底面図である。
【図２７Ｃ】特定の実施例による、図２７Ａの密閉部分の切断線２７Ｃ−２７Ｃに沿った、側面断面図である。
【図２８Ａ】特定の実施例による、閉鎖システムの上面図である。
【図２８Ｂ】特定の実施例による、図２８Ａの閉鎖システムの切断線２８Ｂ−２８Ｂに沿った、側面断面図である。
【図２８Ｃ】特定の実施例による、図２８Ｂの詳細２８Ｃを示す、図２８Ａの閉鎖システムの断面図である。
【図２９Ａ】特定の実施例による、閉鎖システムの上面図である。
【図２９Ｂ】特定の実施例による、図２９Ａの閉鎖システムの切断線２９Ｂ−２９Ｂに沿った、側面断面図である。
【図２９Ｃ】特定の実施例による、図２９Ｂの詳細２９Ｃを示す、図２９Ａの閉鎖システムの断面図である。
【図３０Ａ】特定の実施例による、閉鎖システムの上面図である。
【図３０Ｂ】特定の実施例による、図３０Ａの閉鎖システムの切断線３０Ｂ−３０Ｂに沿った、側面断面図である。
【図３０Ｃ】特定の実施例による、図３０Ｂの詳細３０Ｃを示す、図３０Ａの閉鎖システムの断面図である。
【図３１Ａ】特定の実施例による、閉鎖システムの上面図である。
【図３１Ｂ】特定の実施例による、図３１Ａの閉鎖システムの切断線３１Ｂ−３１Ｂに沿った、側面断面図である。
【図３１Ｃ】特定の実施例による、図３１Ｂの詳細３１Ｃを示す、図３１Ａの閉鎖システムの断面図である。
【図３２Ａ】特定の実施例による、閉鎖システムの上面図である。
【図３２Ｂ】特定の実施例による、図３２Ａの閉鎖システムの切断線３２Ｂ−３２Ｂに沿った、側面断面図である。
【図３２Ｃ】特定の実施例による、図３２Ｂの詳細３２Ｃを示す、図３２Ａの閉鎖システムの断面図である。
【図３３Ａ】特定の実施例による、閉鎖システムの上面図である。
【図３３Ｂ】特定の実施例による、図３３Ａの閉鎖システムの切断線３３Ｂ−３３Ｂに沿った、側面断面図である。
【図３３Ｃ】特定の実施例による、図３３Ｂの詳細３３Ｃを示す、図３３Ａの閉鎖システムの断面図である。
【図３４Ａ】特定の実施例による、閉鎖システムの上面図である。
【図３４Ｂ】特定の実施例による、図３４Ａの閉鎖システムの切断線３４Ｂ−３４Ｂに沿った、側面断面図である。
【図３４Ｃ】特定の実施例による、図３４Ｂの詳細３４Ｃを示す、図３４Ａの閉鎖システムの断面図である。
【図３５Ａ】特定の実施例による、図２８Ａ〜図３３Ｃのレバーの斜視図である。
【図３５Ｂ】特定の実施例による、図３５Ａの詳細３５Ｂを示す、図３５Ａのレバーの斜視図である。
【図３６Ａ】特定の実施例による、図３４Ａ〜図３４Ｃのレバーの斜視図である。
【図３６Ｂ】特定の実施例による、図３６Ａの詳細３６Ｂを示す、図３６Ａのレバーの斜視図である。
【図３７Ａ】特定の実施例による、閉鎖システムの上面斜視図である。
【図３７Ｂ】特定の実施例による、図３７Ａの閉鎖システムの底面斜視図である。
【図３８Ａ】特定の実施例による、閉鎖システムの上面斜視図である。
【図３８Ｂ】特定の実施例による、図３８Ａの閉鎖システムの側面図である。
【図３８Ｃ】特定の実施例による、図３８Ａの閉鎖システムの底面斜視図である。
【図３９Ａ】特定の実施例による、閉鎖システムの上面斜視図である。
【図３９Ｂ】特定の実施例による、図３９Ａの閉鎖システムの側面図である。
【図３９Ｃ】特定の実施例による、図３９Ａの閉鎖システムの底面斜視図である。
【図４０Ａ】特定の実施例による、閉鎖システムの上面斜視図である。
【図４０Ｂ】特定の実施例による、図４０Ａの閉鎖システムの側面図である。
【図４０Ｃ】特定の実施例による、図４０Ａの閉鎖システムの底面斜視図である。
【図４１Ａ】特定の実施例による、閉鎖システムの上面斜視図である。
【図４１Ｂ】特定の実施例による、図４１Ａの閉鎖システムの側面図である。
【図４１Ｃ】特定の実施例による、図４１Ａの閉鎖システムの底面斜視図である。
【図４２Ａ】特定の実施例による、閉鎖システムの上面斜視図である。
【図４２Ｂ】特定の実施例による、図４２Ａの閉鎖システムの側面図である。
【図４２Ｃ】特定の実施例による、図４２Ａの閉鎖システムの底面斜視図である。
【図４３Ａ】特定の実施例による、第１の位置にある閉鎖システムの分解上面斜視図である。
【図４３Ｂ】特定の実施例による、第２の位置にある図４３Ａに示される閉鎖システムの分解斜視図である。
【図４３Ｃ】特定の実施例による、図４３Ａに示される閉鎖システムの分解底面斜視図である。
【図４３Ｄ】特定の実施例による、図４３Ｂに示される閉鎖システムの分解底面斜視図である。
【図４４Ａ】特定の実施例による、第１の位置にある密閉部分の上面斜視図である。
【図４４Ｂ】特定の実施例による、図４４Ａの密閉部分の底面斜視図である。
【図４４Ｃ】特定の実施例による、第２の位置にある密閉部分の底面斜視図である。
【図４４Ｄ】特定の実施例による、図４４Ｃの密閉部分の上面斜視図である。
【図４４Ｅ】特定の実施例による、図４４Ｄの密閉部分の切断線４４Ｅ−４４Ｅに沿った、側面断面図である。
【図４５Ａ】特定の実施例による、第３の位置にある図４４Ｄの密閉部分の側面図である。
【図４５Ｂ】特定の実施例による、図４５Ａの密閉部分の切断線４５Ｂ−４５Ｂに沿った、側面断面図である。
【図４６Ａ】特定の実施例による、頂部カバーの上面斜視図である。
【図４６Ｂ】特定の実施例による、図４６Ａの頂部カバーの底面斜視図である。
【図４７Ａ】特定の実施例による、頂部カバーへのレバーの設置の上面斜視図である。
【図４７Ｂ】特定の実施例による、第１の位置にあるレバーおよび頂部カバーの上面斜視図である。
【図４７Ｃ】特定の実施例による、第２の位置にあるレバーおよび頂部カバーの上面斜視図である。
【図４７Ｄ】特定の実施例による、第３の位置にあるレバーおよび頂部カバーの上面斜視図である。
【図４７Ｅ】特定の実施例による、第４の位置にあるレバーおよび頂部カバーの上面斜視図である。
【図４８Ａ】特定の実施例による、図４７Ｂのレバーおよび頂部カバーの切断線４８Ａ−４８Ａに沿った、側面断面図である。
【図４８Ｂ】特定の実施例による、図４７Ｃのレバーおよび頂部カバーの切断線４８Ｂ−４８Ｂに沿った、側面断面図である。
【図４８Ｃ】特定の実施例による、図４７Ｄのレバーおよび頂部カバーの切断線４８Ｃ−４８Ｃに沿った、側面断面図である。
【図４８Ｄ】特定の実施例による、図４７Ｅのレバーおよび頂部カバーの切断線４８Ｄ−４８Ｄに沿った、側面断面図である。
【図４９Ａ】特定の実施例による、缶端部への頂部カバーの設置の上面斜視図である。
【図４９Ｂ】特定の実施例による、頂部カバーおよび缶端部の上面斜視図である。
【図４９Ｃ】特定の実施例による、頂部カバーおよび缶端部の底面斜視図である。
【図５０Ａ】特定の実施例による、缶端部上の頂部カバーへのレバーの設置の上面斜視図である。
【図５０Ｂ】特定の実施例による、第１の位置にあるレバー、頂部カバー、および缶端部の上面斜視図である。
【図５０Ｃ】特定の実施例による、第２の位置にある頂部カバーおよび缶端部の上面斜視図である。
【図５１Ａ】特定の実施例による、閉鎖システムの設置の上面斜視図である。
【図５１Ｂ】特定の実施例による、閉鎖システムの設置の底面斜視図である。
【図５１Ｃ】特定の実施例による、第１の位置にある閉鎖システムの設置の上面斜視図である。
【図５１Ｄ】特定の実施例による、図５１Ｃの閉鎖システム設置の切断線５１Ｄ−５１Ｄに沿った、側面断面図である。
【図５１Ｅ】特定の実施例による、図５１Ｄの詳細５１Ｅを示す、図５１Ｃの閉鎖システムの断面図である。
【図５２Ａ】特定の実施例による、第２の位置にある閉鎖システムの設置の上面斜視図である。
【図５２Ｂ】特定の実施例による、図５２Ａの閉鎖システム設置の切断線５２Ｂ−５２Ｂに沿った、側面断面図である。
【図５２Ｃ】特定の実施例による、図５２Ｂの詳細５２Ｃを示す、図５２Ａの閉鎖システムの断面図である。
【図５３Ａ】特定の実施例による、第３の位置にある閉鎖システムの設置の上面斜視図である。
【図５３Ｂ】特定の実施例による、図５３Ａの閉鎖システム設置の切断線５３Ｂ−５３Ｂに沿った、側面断面図である。
【図５３Ｃ】特定の実施例による、図５３Ｂの詳細５３Ｃを示す、図５３Ａの閉鎖システムの断面図である。
【図５４Ａ】特定の実施例による、第４の位置にある閉鎖システムの設置の上面斜視図である。
【図５４Ｂ】特定の実施例による、図５４Ａの閉鎖システム設置の切断線５４Ｂ−５４Ｂに沿った、側面断面図である。
【図５４Ｃ】特定の実施例による、図５４Ｂの詳細５４Ｃを示す、図５４Ａの閉鎖システムの断面図である。
【発明を実施するための形態】
【００１６】
図に示される例示的な容器および装置の特定の特徴または構成要素は、本明細書に開示される新規な容器および装置のさらなる理解を容易にするように、他の特徴または構成要素に対して拡大、変形、あるいは非従来的な様態で示されている場合がある。当業者には、この開示の利点を考慮して、本明細書に開示される容器および装置を、重力に対してあらゆる配向で使用できることが認識されるであろうし、また、好適な配向は、この開示の利点を考慮して、当業者によって容易に選択されるであろう。本明細書の飲料容器に行われる参照は、本開示を飲料容器に限定すること意図するものではなく、むしろ、消費財および非消費財を含む、種々の内容物を保持するために使用され得る容器を参照する。
【００１７】
本明細書に開示される装置および方法の特定の実施例は、衛生的で、費用効率が高い容器を提供する、この開示の利点を考慮して、当業者によって認識されるであろう。特に、飲料容器は、衛生的なカバーを有して提供され、従来の缶よりも開口し易く、かつ繰り返して確実に再密閉することができる。本明細書に開示される特定の実施例の飲料容器は、飲料容器の分与部分が環境に露出することを防止し、かつ安全で汚染物質を含まない製品を確実にする。飲料缶のための現在の製造プロセスは、低減された、最小限の追加費用を伴って、またはいかなる追加費用も伴わずに、本発明を含むように適合され得る。
【００１８】
アルミニウム缶等の従来の飲料容器は、公知のプロセスによって製造される。あるプロセスでは、アルミニウム缶は、アルミニウムのコイル状シートからできており、このシートは、円板を切断してそれらをカップ状の容器に形成するカッピングプレス機を通して送給される。これらのカップは、プレス機からコンベヤ上に投下され、連続するリングを再絞り加工してカップをしごき加工する、しごきプレス機の中に送給され、側壁厚さを低減し、完全長の缶を達成する。次いで、缶本体の頂部は、粗いエッジを削除して、高さの均一性を確保するように、トリムされる。次いで、缶本体は、洗浄および乾燥される。続いて、缶本体は、ラベル付けされて、光沢仕上げの透明な保護層で被覆される。次いで、缶は、焼成されて、被覆で処理されて、再焼成される。各缶本体の頂部部分は、頂縁部に外向きのフランジを伴う首部を形成するように細くされる。底部分は、炭酸入りの液体が缶に追加される場合に、内圧に耐えるために必要とされる強度を得るように、ドーム形にされる。ピンホールおよび欠陥に対する試験の後、缶本体は、パレット上に配置されて、飲料供給業者に配送される。
【００１９】
典型的に「缶端部(can ends)」と称される、従来のアルミニウム缶の蓋は、アルミニウムのコイル状シートからシェルを打ち抜くことによって作製される。シェルは、封止剤で被覆され、続いて、リベットが各缶端部に配置される。ステイオンタブ型の閉鎖具を使用する缶類に関して、プロセスはさらに、タブとして、別個の金属部品を、タブを適所に固着するためのリベットの下に挿入することを含む。缶端部の縁部は、概して、湾曲フランジを有する。缶端部は、また、製品の缶端部の開口部を画定するように分割線が入れられる。次いで、缶端部は、缶本体とともに飲料供給業者に配送される。
【００２０】
飲料供給業者では、飲料を缶本体の中に注ぐために充填機が使用される。プロセスは、充填した後に缶端部が追加され、缶本体との二重巻締めを形成することによって缶本体に固着されて完了する。二重巻締めは、缶本体の外向き頂縁部と缶端部の縁部の湾曲フランジとの２つの構成要素の縁部を連結し、缶端部のフランジを部分的に丸めて缶本体の縁部の下で部分的巻締めを形成するように、缶本体の縁部の周囲で缶端部のフランジを巻いて、そして、気密密閉を形成するように、缶本体に対して部分的な巻締めを圧接して平坦化することによって形成される。
【００２１】
大部分の飲料缶は、Ｃｕｄｚｉｋの米国特許第３，９６７，７５２号および第３，９６７，７５３号に開示されているもの、ならびに前述したもの等の、ステイオンタブ型閉鎖具を有する。しかしながら、それを望ましくないものにする、従来のステイオンタブ型閉鎖具の数多くの態様がある。ステイオンタブ型閉鎖具は、缶の外面およびステイオンタブ型閉鎖具を備える缶の頂部が、貯蔵中、配送中、分配中、陳列中、取扱中、および最終的に、消費者による使用中に、環境と接触するので、衛生的な飲用環境を提供しない。飲料が、ステイオンタブ型閉鎖具から形成される開口部を通して缶から直接的に注がれる時、飲料は、缶の頂部および表面と接触し、潜在的に不衛生な飲用環境をもたらす。加えて、消費者が、缶から直接的に飲料を飲用する場合、飲料および消費者の口の両方が缶の表面および頂部と接触し、同様に、不衛生な飲用環境をもたらす。加えて、ステイオンタブ型閉鎖具は、飲料容器を再閉鎖することを可能にしていない。
【００２２】
本発明は、最小限の改造、低廉な材料および製造費用、配送および貯蔵中の積重ねの容易さ、分与部分の衛生状態の増加、消費者による開口、閉鎖、および再密閉の信頼性および容易さ、注ぎ易さ、飲み易さ、再利用性、および容器の内容物の流出可能性の減少を伴う、市販のプロセスおよび機械によって製造される場合がある、飲料容器を提供する。本発明のこれらの利点は、従来のステイオンタブ型閉鎖具の飲料容器の顕著な不備を克服する。
【００２３】
本発明は、また、システムを確実な、閉鎖された密閉位置で係止すること、ならびに装置を種々の確実な開口位置に係止することを可能にする、飲料容器とともに使用する、再密閉可能な閉鎖システムを提供する。加えて、飲料容器が最初に開口された後、ユーザは、汚染物質が分与部分の領域内に存在することを防止するように、容器の分与部分を再び覆って保護してもよい。
【００２４】
本明細書で使用される場合、用語「嵌合する」または「嵌合している」は、２つ以上の構成要素を相互に接続または結合するあらゆる様態を説明する場合がある。用語「嵌合する」または「嵌合している」は、２つ以上の構成要素を相互に接続または結合する、あらゆる機械的、熱的、または化学的プロセスを説明する場合がある。本明細書に開示された実施例では、用語「嵌合する」または「嵌合している」は、２つの構成要素を、溶接、はんだ付け、成形、接着、圧接、折り畳む、二重巻締め、型締、スナップ、連結、締結、あるいは接続することを意味する場合がある。例えば、容器の２つ以上の構成要素は、相互に溶接、はんだ付け、成形、接着、圧接、折り畳み、二重巻締め、型締、スナップ、または連結される場合がある。特定の実施例では、２つ以上の構成要素は、別の構成要素の補助により相互に締結されることによって嵌合されてもよく、それによって、堅い、または可撓性のヒンジ接続を形成する。「嵌合する」は、また、適合性のあるねじ付き表面を有する、少なくとも２つの構成要素を接続または結合することを意味してもよい。嵌合は、永続的であっても、一時的であってもよい。
【００２５】
特定の実施例によれば、容器が開示される。容器は、これに限定されないが、消費財を含む、種々の内容物を保持するために使用されてもよく、また、容器内の消費財を確実に密閉および再密閉する能力を有してもよい。消費財は、固体、液体、または気体のうちの少なくとも１つの形態であってもよい。特定の実施例では、内容物は、食品、例えば、炭酸飲料などの飲料、または他の消費財であってもよい。他の実施例では、内容物は、食品または飲料以外であってもよいが、それでも、分与および／または貯蔵の間の衛生的な状態、ならびに汚染からの保護を必要とする場合がある。
【００２６】
特定の実施例では、固定要素と、可動閉鎖システムとを備える、閉鎖システムが開示される。可動式の閉鎖要素は、頂部カバーと、密閉部分とを備えてもよい。可動式の閉鎖要素の頂部カバー、密閉部分、または別の構成要素等の、可動式の閉鎖要素の構成要素は、可動式の閉鎖要素の他の部分を相互に固着してもよい。この構成要素は、頂部カバーおよび密閉部分が、直接的または間接的に、相互に操作可能に相互作用することを可能にする。頂部カバーおよび密閉部分は、密閉部分が頂部カバーとともに移動するのを可能にするように、相互に操作可能に相互作用してもよい。頂部カバーおよび密閉部分は、固定要素内に形成される溝形ガイドに沿って、例えば水平方向といった、頂部カバーが移動する方向と同じ方向での密閉部分の移動を可能にするように、相互に操作可能に相互作用してもよい。加えて、頂部カバーおよび密閉部分は、頂部カバーが移動する方向と同じ方向ではない方向での密閉部分の移動を可能にするように、相互に操作可能に相互作用してもよい。例えば、頂部カバーの少なくとも一部分を、例えば旋回させる、持ち上げる、あるいは移動させることによって、頂部カバーを係合することで、密閉部分が垂直方向に移動するのを可能にしてもよい。
【００２７】
特定の実施例では、容器は、容器本体と、閉鎖システムとを備えてもよい。閉鎖システムは、固定要素と、可動式の閉鎖要素とを備えてもよい。特定の実施例では、固定要素は、分与部分を備える缶端部と、第１の端部および第２の端部を有する溝形ガイドとを備えてもよい。固定要素は、容器本体の端部に固着されてもよい。飲料容器はさらに、頂部カバーと、密閉部分と、ステムとを備えた、可動式の閉鎖要素を備えてもよい。頂部カバーは、把持部を備えてもよい。密閉部分は容器本体内に存在し、固定要素の溝形ガイドを受け入れるように構成および配設される、溝を備えてもよい。ステムは、溝内に位置付けられ、上部カバーと嵌合するように構成および配設される頂端部、および密閉部分と嵌合するように構成および配設される、底端部を有してもよい。特定の実施例では、ステムは、頂部カバーおよび／または密閉部分の一部分として形成されてもよく、したがって、閉鎖システムの別個の構成要素でなくてもよい。
【００２８】
特定の実施例によれば、第１の位置で、頂部カバーは、分与部分を覆い、密閉部分は、缶端部の底面と接触しており、ステムは、溝形ガイドの第１の端部に位置付けられる。第２の位置で、頂部カバーは、分与部分を覆い、第１の位置に対して回転し、密閉部分は、缶端部の底面から所定の距離だけ離間され、ステムは、溝形ガイドの第１の端部に位置付けられる。第３の位置で、頂部カバーは、分与部分を露出させ、密閉部分は、缶端部の底面から所定の距離だけ離間され、ステムは、溝形ガイドの第２の端部に位置付けられる。
【００２９】
特定の実施例によれば、容器を密閉するための閉鎖システムは、容器本体と嵌合するように構成および配設されてもよい。閉鎖システムは、分与部分と、第１の端部および第２の端部を有する溝形ガイドとを備えた、缶端部を具備した、固定要素を備えてもよい。固定要素は、容器本体の端部に固着されるように配設および構成されてもよい。閉鎖システムは、また、可動式の閉鎖要素を備えてもよい。可動式の閉鎖要素は、把持部と、溝形ガイドを受け入れるように構成および配設される溝を備える密閉部分とを備える、頂部カバーを備えてもよい。可動式の閉鎖要素は、また、溝内に存在し、頂部カバーと嵌合するように構成および配設される頂端部と、密閉部分と嵌合するように構成および配設される底端部とを有する、ステムを備えてもよい。閉鎖システムは、頂部カバーおよびステムが回転するにつれて、密閉部分が、ステムに沿って垂直に移動し、頂部カバーおよびステムが水平方向に移動するにつれて、密閉部分が、水平方向に移動するように構成および配設されてもよい。
【００３０】
特定の実施例によれば、容器を密閉するための閉鎖システムは、容器本体と嵌合するように構成および配設されてもよい。閉鎖システムは、分与部分と、第１の端部および第２の端部を有する溝形ガイドとを備えた、缶端部を具備する、固定要素を備えてもよい。固定要素は、容器本体の端部に固着されるように構成および配設されてもよい。閉鎖要素は、また、レバーを備える把持部を具備した頂部カバーを有した、可動式の閉鎖要素を備えてもよい。レバーは、リングを備えてもよい。可動式の閉鎖要素は、また、溝形ガイドを受け入れるように構成および配設される溝と、レバーを受け入れるように構成および配設されるレバー受容部分とを備える、密閉部分を備えてもよい。特定の実施例によれば、頂部カバーのレバーが持ち上げられるにつれて、レバーは、密閉部分が垂直に移動するのを可能にするように移動してもよく、レバーが水平方向に移動するにつれて、密閉部分は、水平方向に移動してもよい。
【００３１】
特定の実施例によれば、容器を密閉するための閉鎖システムは、容器本体と嵌合するように構成および配設される。閉鎖システムは、固定要素と、可動式の閉鎖要素とを備える。固定要素は、分与部分と、第１の端部および第２の端部を有する溝形ガイドとを備える、缶端部を備える。固定要素は、容器本体の端部に固着されるように構成および配設される。可動式の閉鎖要素は、レバーを備える頂部カバーと、レバー受容部分を備える密閉部分とを具備している。レバー受容部分は、レバーを受け入れるように構成および配設され、それによって、レバーが持ち上げられるにつれて、密閉部分が缶端部から離れて下方向に移動する。密閉部分は、また、頂部カバーが溝形ガイドの第１の端部から溝形ガイドの第２の端部まで水平に移動するにつれて、分与部分が露出するように構成および配設される。
【００３２】
さらなる態様によれば、容器本体と嵌合するように構成および配設される、容器を密閉するための閉鎖システムである。閉鎖システムは、固定要素と、可動式の閉鎖要素とを備える。固定要素は、分与部分と溝形ガイドとを具備した缶端部を備える。固定要素は、容器本体の端部に固着されるように構成および配設される。可動閉鎖具は、把持部を備えた頂部カバーと、密閉部分とを備える。密閉部分は、頂部カバーと操作可能に相互作用するように構成および配設され、それによって、頂部カバーが係合されるにつれて、密閉部分が垂直方向に移動し、かつ頂部カバーが溝形ガイドに沿って水平方向に移動するにつれて、密閉部分が水平方向に移動する。
【００３３】
特定の実施例によれば、飲料容器は、容器の内容物を保持する容器の少なくとも一部分を確定する、容器本体を有するように構成されてもよい。容器本体は、例えばその第１の端部分に位置付けられてもよい、充填および／または分与するための開口部を有してもよい。容器本体は、それぞれが類似した、または異なる機能を伴う、複数のこのような開口部を含んでもよい。例えば、容器本体は、第１の端部分に位置付けられた開口部の反対側にあってもよい、その第２の端部分に位置付けられた第２の開口部を含んでもよい。容器本体は、汚染のリスクを伴わずに、内容物の完全性を確保する、費用効率が高い様態で、その内容物を保持、貯蔵、分与、および／または冷却もしくは加熱するための、任意の好適な材料からできていてもよい。材料には、金属およびプラスチックを含んでもよいが、これに限定されない。例えば、容器本体は、ガラス、鋼、スズ、アルミニウム、またはポリエチレンテレフタレート（ＰＥＴ）、高密度ポリエチレン、低密度ポリエチレン、ポリスルホン、ポリ塩化ビニル、ポリプロピレン、ポリスチレン、ポリカーボネート等のプラスチック材料でできていてもよい。容器本体は、単一の構成要素として、または複数の構成要素から製造されてもよい。単一の構成要素から製造される容器本体は、構造的密閉を提供するように、巻締めまたは接合部を含んでもよい。代替的に、このような本体は、継ぎ目がなくてもよい。複数の構成要素から製造される容器本体は、種々の方法で副構成要素を嵌合する、または別様に、結合することによって組み立てられてもよい。容器本体は、様々な機能的および／または装飾的な形状で形成されてもよい。本開示の利点を考慮して、本明細書に開示される容器本体の構成のための好適な形状、サイズ、および材料を選択または設計することは、当業者の能力の範囲内であろう。容器本体は、また、充填または補充されるように構成されてもよい。
【００３４】
容器は、飲料容器の内容物を封入および／または密閉するように、構成要素を備えてもよい。構成要素は、汚染のリスクを伴わずに、容器本体を閉鎖して、容器の内容物の完全性を確保するように使用されてもよい。特定の実施例では、構成要素は、容器本体に取り付けるように構成および配設されてもよい。構成要素は、基板であってもよい。基板は、容器本体の端部に対向して取り付けられてもよく、容器の内容物を分与するために使用されてもよい。基板は、容器本体と適合性がある材料で構成されてもよく、それによって、基板は、容器本体と嵌合する場合がある。いくつかの実施例では、基板は、平坦であってもよい。特定の他の実施例では、基板は、内容物が加圧下で密閉される、または例えば炭酸入りである場合、容器内の圧力を緩和するように、容器の中に突出するようにドーム形にされてもよい。基板の容器本体への取り付けは、一時的または恒久的に基板および容器本体を嵌合することによって生じる場合がある。
【００３５】
容器は、閉鎖システムを備えてもよい。閉鎖システムは、容器内部に種々の内容物を封入するように、容器本体とともに構成および配設されてもよい。閉鎖システムは、容器内部の内容物を密閉して、消費者が、容器を使用する前、使用中、および使用した後の汚染のリスクを伴わずに、内容物の完全性を確保するように、構成および配設されてもよい。特定の実施例では、容器内部の内容物を気密密閉するように、より緻密なシステムが構成および配設されてもよい。閉鎖システムは、容器の内容物が分与されてもよいように開口部を提供するように、および内容物を分与および／または消費するための衛生的な表面を提供するように構成されてもよい。閉鎖システムは、ユーザが、所望に応じて容器を開口および閉鎖すること、所望に応じて開口部のサイズを制御すること、およびユーザが容器から所望の流量の内容物を分与するのを支援するように、特定の位置で閉鎖システムを係止および係止解除することを可能にするように、またはユーザが、容器内に内容物を収容することを可能にするように、再密閉可能であるように構成されてもよい。
【００３６】
閉鎖システムは、容器本体と適合性があり、これと嵌合するように、種々の機能的および／または装飾的な形状およびサイズで形成されてもよい。閉鎖システムは、例えば、飲料容器の密閉を提供するための、汚染のリスクを伴わずに、容器の完全性を確保するための、および飲料容器の内容物を保持、貯蔵、および／または冷却もしくは加熱するための、任意の材料でできていてもよい。閉鎖システムは、容器本体と同じ材料または異なる材料でできていてもよい。本開示の利点を考慮して、本明細書に開示される閉鎖システムの構成のための好適な形状、サイズ、および材料を選択または設計することは、当業者の能力の範囲内であろう。
【００３７】
閉鎖システムは、内容物を容器内部に封入および密閉する、１つもしくは複数の構成要素を備えてもよい。閉鎖システムは、また、容器内の内容物が分与されることを可能にする、１つもしくは複数の構成要素を備えてもよい。２つ以上の構成要素を備える閉鎖システムは、ある材料で構成される第１の構成要素と、第１の構成要素と第２の構成要素とが嵌合されてもよいように、異なるが適合性のある材料で構成される第２の構成要素とを備えてもよい。第１の構成要素または第２の構成要素のうちのどちらか、および閉鎖システムの任意の他の付加的な構成要素は、閉鎖システムの少なくとも１つの構成要素と容器本体との間に密閉が存在するのであれば、容器本体と同じ材料であっても、または異なる材料であってもよい。密閉は、機械的密閉、熱的密閉、化学的密閉等が挙げられるが、これらに限定されない、種々の様態で形成されてもよい。閉鎖システムの構成要素は、閉鎖システムを容器本体に固着する前に予め組み立てられてもよく、または容器本体、閉鎖システムの構成要素のうちのどちらか、もしくはこれらの両方に連続的に取り付けられてもよい。例えば、閉鎖システムの構成要素は、相互に取り付けられてもよく、または閉鎖システムの構成要素のうちの１つもしくは複数を、容器本体に取り付けてもよい。閉鎖システムの各構成要素は、閉鎖システムの１つもしくは複数の他の構成要素、容器本体、またはこれらの両方に恒久的または一時的に取り付けられてもよい。閉鎖システムは、種々の方法によって容器本体に固着されてもよい。固着は、嵌合することによって達成されてもよい。
【００３８】
閉鎖システムは、閉鎖システムの他の構成要素とともに、汚染のリスクを伴わずに、容器の内容物の完全性を確保するように、閉鎖システムと容器本体との間に密閉を提供する、構成要素を備える場合がある。構成要素は、内容物が容器を出入りするのを可能にするための、衛生的な開口部を提供するように構成されてもよい。構成要素は、例えば飲用するといった、容器からの直接的な消費のための、衛生的な開口部を提供してもよい。構成要素は、例えば、一方に対する他方の構成要素の移動を防止するように、閉鎖システムの他の構成要素の安定化を提供してもよい。構成要素は、容器本体に恒久的に固着されてもよく、容器からの溢れまたは流出を許容するように構成および配設されてもよい。構成要素は、１つもしくは複数の副構成要素を備えてもよい、固定要素であってもよい。２つ以上の副構成要素を備える固定要素は、予め組み立てられて、集合的な固定要素として容器本体に取り付けられてもよく、または連続した順序で容器本体に取り付けられてもよい。固定要素は、嵌合によって容器本体に固着されてもよい。固定要素の各構成要素は、相互および容器本体と同じ材料でできていても、または異なる材料でできていてもよい。固定要素は、容器の内容物のラベル付け、マーケティング、容器の開口を容易にするため等の、表示のための表面を提供してもよい。固定要素は、従来の印刷方法を使用して容易に印刷される、表面を提供してもよい。
【００３９】
前述のように、固定要素は、１つもしくは複数の副構成要素を備えてもよい。例えば、固定要素は、１つもしくは複数の構成要素であってもよい、缶端部を備えてもよい。缶端部は、内容物が容器を出る、またはそこに入ることを可能にするための開口部を提供する、副構成要素を備えてもよい。開口部は、容器からの直接的な消費のための衛生的な領域を提供するように構成および配設されてもよい。副構成要素は、閉鎖システムの１つもしくは複数の構成要素もしくは副構成要素、または容器本体と適合性があり、これらと嵌合するように構成および配設される、分与部分であってもよい。分与部分は、種々の流体および固体を分与するために好適な種々の機能的および／または装飾的な形状およびサイズであってもよい。分与部分は、例えば飲料または食品の場合、内容物を直接的に消費者に（すなわち、口に）送達する、またはカップまたは椀といった、別の容器に内容物を送達するように構成および配設されてもよい。非消費財の場合、分与部分は、内容物を、例えば塗料缶から塗料を分与する場合のトレイといった、別の容器に送達するように構成および配設されてもよい。分与部分は、信頼性があり、正確で、容易な様態で内容物を分与するために好適であるように構成および配設されてもよい。特定の実施例では、分与部分は、容器から直接的に飲用する、および／または注ぐ際の容易さを提供するように構成および配設されてもよく、分与部分の寸法は、消費者によって選択および調整されてもよい。分与部分は、また、障害物の無いアクセスおよび蛇行しない経路を有する、この部分を通しての容易な通過の手段を可能にする場合がある。例えば、分与部分は、容器の内容物の追加または分与を支援するように、漏斗、ストロー等の通路を可能にしてもよい。本開示の利点を考慮して、本明細書に開示される分与部分の構成のための好適な形状、サイズ、および材料を選択または設計することは、当業者の能力の範囲内であろう。
【００４０】
缶端部は、閉鎖システムの他の構成要素と協働するように構成および配設されてもよい。缶端部は、閉鎖システムの他の構成要素との協働を可能にする、副構成要素を提供してもよい。副構成要素は、容器の十分な密閉を達成するように、閉鎖システムの他の構成要素が、それと相互作用することを可能にしてもよい。副構成要素は、各構成要素が、第３の構成要素に対して移動する、または移動しないことを確実にするように、閉鎖システムの他の構成要素と嵌合するように構成および配設されてもよい。一実施形態では、副構成要素は、別の構成要素に対するこの副構成要素の調整の割合を制御するように、アライナ（aligner）、ガイド、またはコネクタであってもよい。副構成要素は、また、閉鎖システムの他の構成要素が、この副構成要素を通して適合することを可能にして、例えば閉鎖システムの組立中に、閉鎖システムの種々の構成要素が嵌合するのを可能にする場合がある。副構成要素は、溝形ガイドであってもよい。溝形ガイドは、可動式の閉鎖要素の一部分等の、閉鎖システムの他の部分と嵌合するように構成および配設されてもよい。溝形ガイドは、容器の密閉または開口プロセスに関与する第１の端部と、容器の別の密閉または開口プロセスに関与する第２の端部とを有してもよい。いくつかの実施例において、溝形ガイドは、システムの１つもしくは複数の他の構成要素と嵌合または協働する、縁部またはリップを備えてもよい。他の実施例では、溝形ガイドは、容器の内側と外側との間の連通を可能にするように構成されてもよい。溝形ガイドおよび分与部分は、各開口部が、構造的完全性を缶端部および飲料容器に提供するように構成および配設されてもよい。特定の実施例では、これは、溝形ガイドおよび分与部分を１つの開口部に組み合わせることによって達成されてもよい。特定の実施例では、溝形ガイドおよび分与部分は、少なくとも２つの開口部として構成される。これは、溝形ガイドと分与部分とを備える１つの開口部を含んでいる場合がある別の構成物と比較して、缶端部から除去される金属を少なくして、それを補強するのを可能にする場合がある。
【００４１】
２つ以上の副構成要素を備える缶端部は、予め組み立てられて、集合的な缶端部として容器本体に取り付けられてもよい。代替的に、閉鎖システムの他の構成要素とともに、連続した順序で容器本体に取り付けられてもよい。缶端部の副構成要素は、両方が容器本体に固着されてもよく、または缶端部の１つの副構成要素が、缶端部の別の副構成要素に取り付けられて、次いでそれらが容器本体に固着されてもよい。固着は、嵌合することによって達成されてもよい。缶の各構成要素は、相互に同じまたは異なり、かつ閉鎖システムの他の構成要素、および容器本体と同じまたは異なる材料でできていてもよい。
【００４２】
２つの構成要素の缶端部では、第１の構成要素は、分与部分を有してもよく、第２の構成要素は、分与部分を有してもよい。第１の構成要素の分与部分は、第２の構成要素の分与部分と位置が合わせられてもよい。第１の構成要素および第２の構成要素は、同じまたは異なる、適合性のある材料でできていてもよい。例えば、第１および第２の構成要素は、全体的にアルミニウムまたはポリマー材料でできていてもよい。代替的に、第１の構成要素は、アルミニウムでできていてもよい一方で、第２の構成要素は、ポリマー材料でできていてもよい。第１および第２の構成要素の分与部分は、それらが容器の内容物に障害物の無い経路を提供するのであれば、同じまたは異なるサイズおよび形状であってもよい。
【００４３】
缶端部の第１の構成要素は、溝形ガイドを備えてもよい。溝形ガイドは、それが缶端部の第２の構成要素の分与部分の一部分の中に存在するように、第１の構成要素の中に位置付けられてもよい。第１および第２の構成要素は、缶端部の第１および第２の構成要素の嵌合が、溝形ガイドを作成するように、どちらも溝形ガイドの一部分を備えてもよい。特定の実施例では、第１の構成要素は、缶カバーと称されてもよく、第２の構成要素は、缶端部と称されてもよい。
【００４４】
缶端部の副構成要素は、種々の方法で相互に固着されてもよい。例えば、第１の構成要素は、接着剤により第２の構成要素に取り付けられてもよい。例えば、容器が食品または液体のために使用される場合、米国食品医薬品局に承認された接着剤が使用されてもよい。これらの構成要素は、また、相互に相補的部品を嵌合することによって相互に固着されてもよい。例えば、嵌合は、第１の構成要素内の開口部を、第２の構成要素内のピンまたはペグなどの隆起部分と一致させ、次いで、構成要素を相互に固着するように平坦化されることによって生じてもよい。第１の構成要素および第２の構成要素は、例えばアルミニウム製の構成要素の場合、相互に圧接されてもよい、縁部を有してもよい。代替的に、第１の構成要素を第２の構成要素の中に留めるように、スナップフックが使用されてもよい。１つもしくは複数のタブは、缶端部の第１および第２の構成要素を適所に係合して保持するように使用されてもよい。第１および第２の構成要素を適所に保持するように係合される、１つもしくは複数のタブは、第１および第２の構成要素のうちの１つの内側に対して押し付けることによって保持されてもよい。当然、当業者は、閉鎖システムのこの部分を組み立てるように使用されてもよい、第１および第２の構成要素を固着するための他の手段を認識してもよい。
【００４５】
閉鎖システムは、固定要素を容器本体に固着し、かつ内容物の完全性を確保するように容器内の内容物を保持する、構成要素を備えてもよい。構成要素は、固定要素を容器本体に固着するように構成および配設されてもよい。特定の実施例では、構成要素は、缶端部の一部として、一体型として作製されてもよい。前述のように、本発明の飲料容器は、最小限の改造を伴う商用のプロセスによって製造されてもよい。固定要素は、従来の飲料缶製造プロセスによって容器本体に嵌合および固着される場合がある、構成要素を備えてもよい。例えば、構成要素は、巻締めを形成するように容器本体に嵌合されてもよい。巻締めは、気密密閉を提供する、二重巻締めであってもよい。他の実施例では、構成要素は、一方の構成要素または副構成要素の中のラッチを、他方の構成要素または副構成要素の溝の中にスナップ留めすることによって、容器本体と嵌合されてもよい。特定の実施例では、構成要素は、リムであってもよい。リムは、固定要素を容器本体に固着するように構成および配設されてもよい。リムは、容器および／または閉鎖システムの構成要素のうちのいずれか１つと同じまたは異なる材料でできていてもよい。リムは、容器本体の頂部分の外辺部と同じまたは異なる形状である、外辺部を有してもよい。例えば、リムは、円形の外周を有してもよく、容器本体の頂部分の直径と同じ、またはそれよりも大きい直径を有してもよい。前述のように、リムは、缶端部の一部として作製されてもよい。特定の他の実施例では、リムは、別個の構成要素として作製されてもよい。リムは、少なくとも１つの開口部を備えてもよい。開口部は、最終的に、容器の内容物が、容器からスムーズかつ効率的に分与されるのを可能にする、形状、サイズ、および材料で構成および配設されてもよい。開口部は、缶端部が開口部内で適合することを可能にしてもよい。開口部は、所定の形状であってもよく、例えば、開口部は、リムの外辺部に対して中央にある、円形状であってもよい。他の実施例では、開口部は、リムの外辺部に対してオフセットされてもよい。開口部の形状は、リムの外辺部と同じ形状であっても、または異なる形状であってもよい。リムの開口部の形状は、注ぎ口の外辺部と同じ形状であっても、または異なる形状であってもよい。
【００４６】
閉鎖システムは、飲料容器に閉鎖具を提供する、構成要素を備えてもよい。構成要素は、例えば製造業者、配給業者、および／または消費者によって、内容物の保持、貯蔵、分与、および／または冷却もしくは加熱中に、汚染のリスクを伴わずに、内容物の完全性を確保し、かつ容器の内容物を封入する場合がある。加えて、構成要素は、容器の分与部分を環境から保護してもよく、それによって、ユーザが容器を開口するまで衛生状態を確保する。構成要素は、また、ユーザによる所望に応じて、開口後に、容器の一部分を環境から保護してもよい。構成要素は、汚染のリスクを伴わずに、容器の内容物の完全性を確保する、確実な閉鎖具を提供するように、固定要素とともに機能する場合がある。構成要素は、容器の内容物を環境から密閉する場合がある、可動式の閉鎖要素であってもよい。可動式の閉鎖要素は、最初に、容器の内容物を密閉してもよく、開口に続いて、再び、内容物を密閉するように、そしてさらに、分与部分を環境から保護するように使用されてもよい。可動式の閉鎖要素は、固定要素の１つもしくは複数の構成要素、容器本体、またはこれらの両方と嵌合するように構成および配設されてもよい。特定の実施例では、可動式の閉鎖要素は、分与部分および／または缶端部の底面と嵌合されるように構成および配設されてもよい。可動式の閉鎖要素は、係止または係止解除位置で使用されるように構成および配設されてもよい。可動式の閉鎖要素は、閉鎖システムの他の構成要素および／または容器本体と嵌合されるように、種々の機能的および／または装飾的な形状およびサイズであってもよく、また、そのような目的に好適な材料で構成されてもよい。可動式の閉鎖要素は、容器の開口および閉鎖を容易にするようにサイズ決定および成形されてもよい。可動式の閉鎖要素は、容器の内容物のラベル付け、マーケティング目的、容器の開口を容易にするため等の、表示のための表面を提供してもよい。可動式の閉鎖要素の少なくとも一部分は、従来の印刷方法を使用して容易に印刷される、表面を提供してもよい。
【００４７】
可動式の閉鎖要素は、恒久的または一時的に相互に取り付けられてもよい、１つもしくは複数の構成要素を備えてもよい。可動式の閉鎖要素は、分与部分、または分与部分よりも大きい固定部分の領域を覆い、かつ内容物を容器の内部で保持する、構成要素を備えてもよい。特定の実施例では、構成要素は、分与部分全体またはその部分を露呈してもよい。構成要素は、１つもしくは複数の地点で固定要素と接触していてもよい。構成要素は、例えば分与部分を覆う、または露呈するように、第１の位置から１つもしくは複数の他の位置まで移動する能力を有してもよい。移動は、例えば、摺動させる、捩じる、移行させる、旋回させる、引く、押す、移送する、除去する、係合するうちの１つもしくは複数、別様には、例えば頂部カバーといった閉鎖システムの１つもしくは複数の構成要素の位置を修正することを伴ってもよい。構成要素は、容器の外側に存在してもよく、容器のための頂部カバーとして機能してもよい。頂部カバーは、環境からの保護を分与部分に提供し、内容物を容器内に保持するための、種々の機能的および／または装飾的な形状およびサイズであってもよい。
【００４８】
頂部カバーは、消費者が頂部カバーを移動させるのを支援するように、１つもしくは複数の副構成要素を備えてもよい。例えば、この副構成要素は、消費者が頂部カバーをある位置まで旋回または捻るのを支援してもよく、または消費者が頂部カバーを別の位置まで移行または摺動させるのを支援してもよい。副構成要素は、所望に応じて消費者が頭部カバーを移動させるのを支援するために好適な、頂部カバー上にある、その中にある、またはそこに取り付けられた、例えば、縁部、稜、リム、ノッチ、溝、空洞、くぼみ、凹部、へこんだ表面もしくは粗い表面、リング、またはレバーのうちのいずれか１つもしくは複数を含んでもよい、把持部であってもよい。把持部は、閉鎖システムの製造中に頂部カバーと嵌合されるように、例えば成形プロセスで頂部カバーの一部として製造されてもよく、または別個に製造されてもよい。特定の実施例では、把持部は、ユーザによって、次いで、例えば頂部カバーを旋回または移行させて、頂部カバーを移動させることを可能にする位置に操作される場合がある、頂部カバーの一部分であってもよい。操作は、ヒンジと係合され、それによって、ある種のハンドル、レバー等を形成する頂部カバーの一部分を反転させることによって実施されてもよく、これは、頂部カバーの一部分が、水平位置から垂直位置に移動するのを可能にする。頂部カバーは、可動式の閉鎖要素の他の部分と嵌合される場合がある、一部分を備えてもよく、これは、閉鎖システムをともに使用して、容器の開口および閉鎖、ならびに分与部分を覆うこと、および露呈することを支援する場合がある。頂部カバーは、また、固定要素の頂部カバーと頂面との間に密閉を提供する部分を備えてもよい。特定の実施例では、この部分は、ガスケットまたはＯリング等の密閉具であってもよい。
【００４９】
頂部カバーまたは固定要素は、また、頂部カバーの一部分が、頂部カバーの一部分の移動を制限するように固着されることを可能にする、１つもしくは複数の構成要素を備えてもよい。１つもしくは複数の構成要素は、頂部カバーの一部分を頂部カバーの別の部分に固着、係止、または締結してもよい。例えば、頂部カバーの構成要素または固定要素は、レバーが適所に固定される、または静置位置に固着されるような位置にレバーが固着されるように、レバー等の、頂部カバーの一部分と嵌合するように構成および配設されてもよい。頂部カバーの構成要素は、頂部カバー上の静置位置にレバーを固着するように、レバー上のスナップフックと嵌合することができる溝であってもよい。別の実施例では、頂部カバーの構成要素は、頂部カバーを固定要素に少なくとも部分的に固着するように、頂部カバーの別の構成要素と嵌合するように構成および配設されてもよい。
【００５０】
可動式の閉鎖要素は、また、可動式の閉鎖要素の他の構成要素とともに、内容物に密閉提供しかつ内容物を容器内に保持する、構成要素を備えてもよい。この構成要素は、容器のための、確実で、信頼性があり、漏れない閉鎖具を提供する場合がある。構成要素は、また、容器から内容物を分与することを可能にする場合がある。構成要素は、１つもしくは複数の構成要素を備える、密閉部分であってもよい。密閉部分は、容器内部で内容物を保持するための密閉を提供するように、種々の機能的および／または装飾的な形状およびサイズであってもよい。密閉部分は、また、例えば容器内の内容物が炭酸飲料を含む場合に、容器内からの圧力の解放を提供するように、種々の機能的および／または装飾的な形状およびサイズであってもよい。密閉部分は、容器内に存在し、缶端部の底面との接触を有してもよい。特定の実施例では、密閉部分は、容器内に存在してもよいが、必ずしも缶端部の底面と接触していなくてもよい。密閉部分は、内容物を容器内部に保持するための密閉を提供してもよく、これは、内容物の内部圧力によって高められる場合があるが、内部圧力は、密閉を提供するために必要とされない。密閉部分は、飲料容器の他の構成要素と適合性がある材料で構成されてもよく、また、容器の内容物と適合性がある材料で構成されてもよい。例えば、密閉部分は、不活性である、または容器の内容物と反応しない材料で構成されてもよい。特定の実施例では、密閉部分は、ポリプロピレンでできていてもよい。密閉部分の好適な形状、サイズ、および材料は、本開示の利点を考慮して、当業者によって容易に選択されるであろう。固定要素を容器本体に固着するように、代替的に、または前述した機械的要素とともに、他の手段が使用されてもよい。
【００５１】
密閉部分は、最初に、ならびにユーザによる開口後、および使用中に、容器の密閉の完全性を得、かつ維持することを支援する場合がある、副構成要素を備えてもよい。副構成要素は、密閉部分の密閉能力を高める場合がある。副構成要素は、密閉部分とは別に製造されてもよく、または密閉部分の一部として製造されてもよい。前者の状況では、副構成要素は、接着剤の使用を含む、前述した種々の嵌合技術によって、または副構成要素および密閉部分の構成および配設を通して、密閉部分と嵌合されてもよい。密閉部分は、２つの構成要素が適切に嵌合することを確実にするように、副構成要素を受け入れるように構成および配設されてもよい。例えば、密閉部分は、副構成要素を密閉部分の中に受け入れるように、溝または他の構造を含有してもよい。後者の状況では、副構成要素は、従来の成形プロセスを通して密閉部分に直接的に成形されてもよい。副構成要素は、密閉部分と缶端部の底面との間で適切な密閉を確保するように使用される、Ｏリングまたはガスケットであってもよい。Ｏリングまたはガスケットは、そのような密閉を作成するように、任意の好適な材料で構成されてもよく、密閉部分および缶端部等の閉鎖システムの他の構成要素、ならびに容器の内容物と適合性があってもよい。例えば、Ｏリングは、所望の密閉を作成するために好適な可撓性を有する、ポリマー材料でできていてもよい。密閉部分および副構成要素は、一体型の、例えば密閉部分および密閉具として機能し得る、Ｏリングまたはガスケットのような材料と、同じ材料でできていてもよい。
【００５２】
密閉部分は、例えば容器内の内容物が炭酸飲料を含む場合に、容器内からの圧力の解放を可能にする場合がある、１つもしくは複数の副構成要素を備えてもよい。１つもしくは複数の副構成要素は、容器内からの圧力の解放を可能にするように、閉鎖システムの他の構成要素または副構成要素と相互作用してもよい。１つもしくは複数の副構成要素は、また、密閉部分の密閉能力に関与する場合がある。副構成要素は、密閉部分とは別に製造されてもよく、または密閉部分の一部として製造されてもよい。１つもしくは複数の構成要素は、容器内からの圧力の解放を達成するように、任意の好適なサイズまたは形状であってもよい。
【００５３】
１つもしくは複数の副構成要素は、密閉部分の開口部を形成してもよい。開口部は、容器内からのいかなる圧力も、所定の望ましい様態で解放されることを可能にするために好適な、任意のサイズまたは形状であってもよい。開口部は、密閉部分の厚さ全体を通して延在してもよい。開口部の直径または幅は、密閉部分の厚さの全体を通して同じであってもよい。いくつかの実施例では、開口部の直径または幅は、漸次的または段階的様態で、密閉部分の厚さの全体を通して減少または増大させてもよい。
【００５４】
密閉部分は、また、例えば容器内の内容物が炭酸飲料を含む場合に、容器内からの圧力の解放を可能にするような、密閉部分の付加的な副構成要素を備えてもよい。副構成要素は、容器内からの圧力の解放を可能にするように、閉鎖システムの他の構成要素または副構成要素と相互作用してもよい。副構成要素は、また、密閉部分の密閉能力に関与してもよい。副構成要素は、密閉部分とは別に製造されてもよく、または密閉部分の一部として製造されてもよい。例えば、副構成要素は、最初に、ならびにユーザによる開口後、および使用中に、容器の密閉の完全性を得、かつ維持することを支援する場合がある、例えばＯリングまたはガスケットといった、密閉部分の副構成要素の一部として製造されてもよい。副構成要素は、密閉部分の開口部内に位置付けられるように構成および配設される、オーバーモールドであってもよい。オーバーモールドは、容器内からの圧力の解放を可能にするように、密閉部分の開口部と整合させてもよい、開口部を備えてもよい。オーバーモールドの中の開口部は、また、容器内からの圧力の解放を可能にするように、頂部カバーの一部分と整合してもよい。例えば、頂部カバーのレバーが所定の角度まで持ち上げられるにつれて、オーバーモールドの中の開口部は、容器内からの圧力の解放を可能にするように、レバーの開口部と整合させてもよい。本明細書に論じられている所定の角度とは、例えばレバーといった、把持部の底面と、固定要素または缶端部にわたって延在する水平面との間で測定された角度を指す。
【００５５】
オーバーモールドは、接着、化学、または熱接合を含む、前述した種々の嵌合技術によって、または副構成要素および密閉部分の構成および配設を通して、密閉部分と嵌合されてもよく、それによって、適切な嵌合が達成され、かつ付加的な嵌合技術を必要としない。特定の実施例では、容器内の圧力は、オーバーモールドを密閉部分の開口部内の適所に、かつ、例えば頂部カバーのレバーといった、閉鎖システムの別の構成要素に突き当てて固着する場合がある。これは、閉鎖システムを使用して、容器が開口される前に容器の確実な密閉を確保する場合がある。オーバーモールドは、従来の成形プロセスを通して密閉部分に直接的に成形されてもよい。オーバーモールドは、閉鎖システムの十分な閉鎖および容器内からの圧力の解放に関与する、任意の好適な材料で構成されてもよく、閉鎖部分、頂部カバー、缶端部等の閉鎖システムの他の構成要素、ならびに容器の内容物と適合性があってもよい。例えば、オーバーモールドは、所望の密閉を作成するように、好適な可撓性を有する、ポリマー材料でできていてもよい。特定の実施例では、オーバーモールドは、熱可塑性エラストマー（ＴＰＥ）でできていてもよい。例えば、しばしば成形業界では基板と称される、閉鎖部分がポリプロピレンでできていて、かつオーバーモールドがＴＰＥでできている場合、熱を印加することによって、これらの２つの構成要素の間で熱接合を開始することができる。密閉部分および１つもしくは複数の副構成要素は、一体型の、例えば密閉部分、密閉具、および容器内から圧力を解放するための好適な開口部として機能する場合がある、Ｏリングまたはガスケットのような材料と、同じ材料でできていてもよい。
【００５６】
密閉部分は、所与の方向での密閉部分の移動を可能にする場合がある、副構成要素を備えてもよい。副構成要素は、また、異なる所与の方向での密閉部分の移動を防止するように、固定要素等の、閉鎖システムの他の構成要素と相互作用してもよい。副構成要素は、分与部分を覆うように、または分与部分を露出させるように、固定要素、缶端部、または溝形ガイド等の、閉鎖システムの他の構成要素と相互作用してもよい。副構成要素はさらに、固定要素の構成要素または副構成要素を嵌合する、または受け入れるように構成および配設されてもよい。一実施形態では、副構成要素は、別の構成要素に対するこの副構成要素の調整の割合を制御するように、アライナ、ガイド、またはコネクタであってもよい。例えば、副構成要素は、例えば缶端部といった固定要素の構成要素と嵌合し得る、溝であってもよい。溝は、缶端部の溝形ガイドの少なくとも一部分と嵌合してもよい。代替的に、溝の少なくとも一部分が溝形ガイドと嵌合してもよい。溝および溝形ガイドは、種々の機構によって嵌合してもよい。例えば、溝および溝形ガイドは、溝形ガイドに対する密閉部分の移動を可能にするように嵌合してもよい。溝形ガイドに対する密閉部分の移動は、垂直方向、すなわち上向きまたは下向きであってもよい。特定の実施形態では、密閉部分の少なくとも一部分は、移動中に缶端部と接触せずに、缶端部と平行に、水平方向に移動してもよい。
【００５７】
溝または溝形ガイドは、密閉部分が、相互に対して移動することを可能にするが、溝の移動を特定の距離まで可能にする、区間を含有してもよい。例えば、溝または溝形ガイドの区間は、密閉部分がそれ以上所与の方向に移動するのを防止するように構成および配設されてもよい。溝または溝形ガイドの区間は、密閉部分が、閉鎖システムの他の構成要素から分離することを防止してもよい。区間は、また、密閉部分が容器の中に落ちることを防止する場合がある。これらの所望の効果は、頂部カバー、閉鎖部分、固定要素、または閉鎖システムの他の構成要素のうちの少なくとも１つの特定の副構成要素を、溝または溝形ガイドと嵌合する、または関連付けることによって達成される場合がある。特定の実施例では、頂部カバーまたは密閉部分の少なくとも一部分は、溝形ガイド内に存在する場合があるように、頂部カバーまたは密閉部分のうちの少なくとも１つは、溝形ガイドと関連付けられてもよい。関連付けは、頂部カバーが、例えば、溝形ガイドの少なくとも一部分に沿って滑動することを可能にする一方で、頂部カバーの溝形ガイドとの整合を維持するように、頂部カバーの他の方向での移動を制限することを可能にしてもよい。溝または溝形ガイドの区間は、密閉部分を、缶端部の底面から所定の距離で、溝形ガイドまたはステムに固着する場合がある、装置を備えてもよい。区間は、溝形ガイドまたはステム等の、閉鎖システムの密閉部分と他の構成要素との間の接続を維持するように、１つもしくは複数のスナップフックを備えてもよい。
【００５８】
可動式の閉鎖要素は、また、可動式の閉鎖要素の他の部分を相互に固定する、構成要素を備えてもよい。構成要素は、密閉部分の頂部カバーとの相互の移動を可能にしてもよい。構成要素は、頂部カバーが移動する方向と同じである方向での密閉部分の移動を可能にしてもよい。代替的に、構成要素は、頂部カバーが移動する方向と同じではない方向での密閉部分の移動を可能にしてもよい。構成要素は、同じまたは異なる嵌合方法によって、頂部カバーおよび密閉部分と嵌合してもよい。構成要素は、例えば、頂部カバーおよび密閉部分と嵌合される場合がある、ステムであってもよい。ステムは、ある嵌合方法によって頂部カバーと、嵌合するように構成および配設されてもよく、かつ異なる嵌合方法によって密閉部分と嵌合するように構成および配設されてもよい。ステムは、頂部カバーと嵌合されるように構成および配設される頂端部、および密閉部分と嵌合されるように構成および配設される底端部を有してもよい。ステムの頂端部は、分与部分および／または缶端部の溝形ガイドを通して延在することによって、頂部カバーと嵌合してもよい。ステムの頂端部への頂部カバーの嵌合は、ステムの移動が頂部カバーの移動で生じることを確実にする場合がある。
【００５９】
ステムは、種々の方法により頂部カバーに嵌合されてもよい。特定の実施例では、ステムおよび頂部カバーは、接着剤の使用を通して嵌合されてもよい。他の実施例では、頂部カバーまたはステムの頂部分のどちらかのスナップフックは、これらの２つの構成要素を嵌合するための機構を提供する場合がある。さらに他の実施例では、スピン溶接等の公知の技術は、例えばこれらの構成要素が、ポリマー材料から構成されている場合に、これらの２つの構成要素を嵌合するために使用されてもよい。これらの２つの構成要素を嵌合することは、これらの２つの構成要素を適所に保つように、頂部カバーおよびステムの頂部分の中の孔を通して摺動する、クロスピンの使用を含んでもよい。嵌合する他の方法は、リベットまたはその他を使用して、２つの構成要素を相互に圧接することを伴う。
【００６０】
ステムは、密閉部分の溝内に位置付けられてもよく、密閉部分と嵌合するように構成および配設されてもよい。ステムの底端部は、溝と連通している密閉部分の一部分と嵌合するように構成および配設されてもよい。密閉部分の一部分は、ステムの底端部を受け入れて、嵌合するように構成および配設されてもよい。嵌合は、ステムの移動が密閉部分の移動を引き起こす場合がある、などのものであってもよい。特定の実施例では、ステムの移動（例えば、水平方向）は、密閉部分の、例えば上向きまたは下向きといった、垂直方向の移動を引き起こしてもよい。一実施形態では、ステムのある方向の回転は、密閉部分の下方向の移動を引き起こしてもよい。固定要素の溝形ガイドは、密閉部分の溝と嵌合される場合があるので、密閉部分は、ステムとともに回転しないが、代わりに、垂直方向にのみ移動する。ステムの底端部は、密閉部分の適合性のあるねじ付き表面と嵌合する、ねじ付き表面を備えてもよい。ステムの底端部は、雄ねじを有する密閉部分のねじ付き表面と適合性がある、雌ねじを有するねじ付き表面を備えてもよい。代替的に、ステムの底端部は、雌ねじを有する密閉部分のねじ付き表面と適合性がある、雄ねじを有するねじ付き表面を備えてもよい。ステムは、閉鎖システムの所望の構成要素をともに固着するように、種々の機能的および／または装飾的な形状およびサイズであってもよい。本開示の利点を考慮して、本明細書に開示されるステムの好適な形状、サイズ、および材料を選択または設計することは、当業者の能力の範囲内であろう。
【００６１】
可動式の閉鎖要素の他の部分を相互に固着する、可動式の閉鎖要素の構成要素は、頂部カバーおよび密閉部分のうちの少なくとも１つの副構成要素であってもよい。前述のように、この構成要素は、例えば水平または垂直方向での、密閉部分の頂部カバーをともなう移動を可能にしてもよい。構成要素は、頂部カバーが移動する方向と同じ方向での密閉部分の移動を可能にしてもよい。加えて、構成要素は、頂部カバーが移動する方向と同じ方向ではない方向での密閉部分の移動を可能にしてもよい。例えば、頂部カバーに係合することで、密閉部分を垂直方向に移動させることができる。構成要素は、密閉部分に取り付けられてもよいレバー受容部分であってもよく、または密閉部分の一部として製造されてもよい。レバー受容部分は、頂部カバー等の可動式の閉鎖要素の別の構成要素を受け入れるように構成および配設されてもよい。レバー受容部分が頂部カバーと相互作用することを可能にすることによって、閉鎖システムは、閉鎖システムの種々の開口および閉鎖した位置を可能にするように、好適に操作する場合がある。例えば、レバー受容部分は、頂部カバーのレバーを受け入れるように構成および配設されてもよい。レバー受容部分と操作可能に相互作用し得るレバーを移動させることによって、ユーザは、所望に応じて、分与部分を露出させる、または覆うように、閉鎖システムを操作してもよい。
【００６２】
いくつかの実施形態では、レバー受容部分の態様は、レバーが頂部カバーの他の部分または密閉部分に対して枢動することを可能にするように、例えばレバーの一部分といった、頂部カバーの一部分を固着する構造を備えてもよい。このレバー受容部分の態様は、ピン等のレバーの一部分を受容してもよく、可動式の閉鎖要素の構成要素が、相互に嵌合する、または協働することを可能にする。レバー受容部分およびレバーは、任意の好適な形状、サイズ、および材料であるように設計することができ、それによって、これらの構成要素は、頂部カバーおよび密閉部分が操作可能に相互作用して、１つもしくは複数の所望の方向で移動することを可能にするように、相互に連通してもよい。
【００６３】
特定の実施形態では、レバー受容部分は、閉鎖システムの操作中の密閉部分の移動を可能にするように、レバーのピンを受け入れる場合がある、開口部を形成してもよい。開口部の形状は、ピンの断面の形状と同じであっても異なっていてもよい。いくつかの実施例では、開口部の形状は、密閉部分を、例えば下方向といった、垂直方向に押し込む、または引っ張るように、ピンの断面形状と相補的であってもよい。
【００６４】
この実施形態では、閉鎖位置で、ピンの開口部および断面は、ピンが、開口部の表面上のレバー受容部分の一部分に接触し、また、オーバーモールドにも接触するように構成および配設され、それによって、容器の内側と外側の環境の間にいかなる連通もない。このように、これらの構成要素は、閉鎖システムのための弁として機能し、レバー受容部分およびオーバーモールドに対するピンの移動は、容器の内側と外側の環境の間の連通を可能にする場合がある。ピンが回転するにつれて、所与の方向に、例えばレバーといった、把持部を移動させることによって、ピン内の開口部は、オーバーモールド内の開口部と整合させられてもよく、それによって、容器内の何らかの圧力の解放を開始するように、弁を開口する。圧力が解放されると、開口部の形状およびピンの断面は、ピンが、オーバーモールドと連通することを可能にし、密閉部分の下向きの移動を開始する。ピンが回転を継続するにつれて、開口部の形状およびピンの断面は、例えばレバーといった、把持部がさらに所与の方向に移動することを防止する場合がある。これらの作用は、例えばレバーといった、把持部を所与の方向の逆の方向に移動させ、封止部分を引き上げ、そして、ピンを使用してオーバーモールドの開口部を遮断することによって逆にされる場合があり、それによって、弁を閉鎖する。
【００６５】
可動式の閉鎖要素は、また、容器が、少なくとも部分的に開口された、別様には改造された、または変えられたという兆候を提供する場合がある、構成要素を備えてもよい。構成要素は、製造業者からの元々の密閉具が壊されたという兆候を示すようにしてもよく、それによって、ユーザは、容器の内容物の安全性、または容器の内容物が変えられたかどうかを評価する場合がある。兆候は、製造密閉が、例えば構成要素の移動、または構成要素の色の変化によって、少なくとも部分的に壊されたことをユーザに通知する、任意の兆候であってもよい。構成要素は、頂部カバーの副構成要素、密閉部分、固定要素、またはそれらの組み合わせとすることができる。例えば、副構成要素は、頂部カバーの一部分とすることができ、それによって、頂部カバーの一部分または閉鎖システムの別の部分が、何らかの方法で操作された時に、副構成要素が、容器が少なくとも部分的に開口、改造された、または変えられたことを示すかもしれない。特定の実施例では、副構成要素は、レバーと連通している、頂部カバーの部材であってもよい。レバーが持ち上げられるにつれて、部材は、その元々の位置から移動する場合があり、それによって、容器が、少なくとも部分的に開口された、別様には改造された、または変えられたことを示す。
【００６６】
より好都合で費用効率が高い配送および貯蔵のための容器の積重ねを容易にするために、閉鎖システムを備える容器の頂部は、別の容器本体の底部、または別の容器本体に取り付けられた基板を受け入れるように構成および配設されてもよい。例えば、閉鎖システムの頂部カバーは、容器本体と嵌合する固定要素の頂縁部より下側に存在してもよく、それによって、複数の容器を相互の頂部に積重ねる際に頂部カバーが干渉しない。他の実施例では、容器本体の側部は、容器の積重ねを容易にするよう別の容器本体の側部を受け入れるように構成および配設されてもよい。
【００６７】
容器本体は、飲料容器の内容物を保持、貯蔵、取り扱う、および／または冷却もしくは加熱するために好適な、種々の機能的および／または装飾的な形状および好適なサイズで提供されてもよい。前述のように、従来の製造プロセスが、容器本体を提供するために使用され得る、飲料缶本体を製作するために使用される。閉鎖システムは、配置、投下、蒸着等によって容器本体上に配置されてもよい。これは、自動プロセスを通して、または手動で達成されてもよい。固定は、容器本体の閉鎖システムへの嵌合を通して容器の内容物の完全性を確保するように生じてもよい。嵌合は、容器本体と固定要素との間で生じてもよい。嵌合は、また、閉鎖システムおよび容器本体の種々の構成要素と副構成要素との間で生じてもよい。固定は、また、例えば二重巻締めを形成することによる、飲料缶を製造する従来の方法を使用して、生じてもよい。固定要素のフランジは、部分的な巻締めを形成するように、容器本体の第１端部周辺で巻いてもよい。部分的な巻締めは、気密密閉を形成するために圧接されて平坦化されてもよい。
【００６８】
飲料容器を、自動プロセスまたは手動で組み立てるために、閉鎖要素の全体または一部は、容器本体と嵌合するように、または容器本体を通して挿入されるように予め組み立てられてもよく、アルミニウム缶の従来の製造プロセスと適合性があってもよい。代替的に、固定要素の部分は、予め組み立てられずに、相互に、および容器本体に嵌合されてもよい。
【００６９】
以下、容器の組み立てられた閉鎖システムの操作を説明する。一実施形態では、第１の位置で、頂部カバーは、分与部分を覆い、さらに缶端部の一部分を覆ってもよい。この第１の位置で、密閉部分は、係止位置で缶端部の底面と接触していて、ステムは、溝形ガイドの第１の端部に位置付けられる。ステムは、前述したものを含む、任意の種々の手段によって頂部カバーに嵌合されてもよく、それによって、頂部カバーが移動するにつれて、ステムが同じ方向に移動する。
【００７０】
ユーザは、頂部カバーを、例えば第２の位置に向けて、所望の方向に移動させるように、頂部カバーの把持部のうちの１つもしくは複数を使用してもよい。頂部カバーが所望の方向に移動するにつれて、頂部カバーおよびステムの頂端部の嵌合により、ステムは、同じ所望の方向に移動する。ステムの底端部が密閉部分と嵌合するので、これは、密閉部分を移動させる。例えば、ステムの底端部は、密閉部分の一部分のねじ付き表面と適合性がある、ねじ付き表面を有してもよく、これは、頂部カバーの移動時に、それによって密閉部分をねじ付き表面に沿って移動させる。例えば、頂部カバーの移動は、密閉部分を、缶端部の底面から離れて垂直方向下向きに、ねじ付き表面に沿って移動させる。閉鎖システムは、密閉部分が、缶端部の底面から所定の距離よりもさらに離れて、溝形ガイドの第１の端部の係止解除位置まで移動することを防止するように構成および配設されてもよい。
【００７１】
溝は、密閉部分が、溝形ガイドに対して移動することを可能にするが、溝の移動を最大でも特定の所定の距離まで可能にする、区間を含有してもよい。例えば、溝の区間は、密閉部分がそれ以上所与の方向に移動するのを防止するように構成および配設されてもよい。溝の区間は、密閉部分が、閉鎖システムの他の構成要素から分離することを防止してもよい。区間は、また、密閉部分が容器の中に落ち込むことを防止してもよい。区間は、缶端部の底面から所定の距離に、密閉部分を溝形ガイドまたはステムに固着し得る、装置を備えてもよい。区間は、溝形ガイドまたはステム等の、閉鎖システムの密閉部分と他の構成要素との間の接続を維持するように、１つもしくは複数のスナップフックを備えてもよい。
【００７２】
ユーザはここでも、頂部カバーを、例えば第３の位置に向けて、所望の方向に移動させるように、頂部カバーの把持部のうちの１つもしくは複数を使用してもよい。頂部カバーが所望の方向に移動するにつれて、頂部カバーおよびステムの頂端部の嵌合により、ステムは、同じ所望の方向に移動する。ステムの底端部が密閉部分と嵌合するので、これはその結果、密閉部分を移動させる。第３の位置で、頂部カバーは、分与部分を露出させ、密閉部分は、缶端部の底面から所定の距離だけ離間され、ステムは、溝形ガイドの第２の端部に位置付けられる。
【００７３】
ユーザは、頂部カバーを、例えば第４の位置に向けて、所望の方向に移動させるように、頂部カバーの把持部のうちの１つもしくは複数を使用してもよい。頂部カバーが所望の方向に移動するにつれて、頂部カバーおよびステムの頂端部の嵌合により、ステムは、同じ所望の方向に移動する。この所望の方向は、第１の位置から第２の位置に移行する時に、頂部カバーおよびねじの頂端部が移動する、反対の方向であってもよい。この第４の位置への移動の際に、密閉部分は、係止位置で缶端部の底面と接触し、ステムは、溝形ガイドの第２の端部に位置付けられる。特定の実施例では、密閉部分の副構成要素は、缶端部の底面と接触する。副構成要素は、Ｏリングまたはガスケットであってもよい。
【００７４】
第２の位置から、ユーザは、頂部カバーを、例えば第５の位置に向けて、所望の方向に移動させるように、頂部カバーの把持部のうちの１つもしくは複数を使用してもよい。頂部カバーが所望の方向に移動するにつれて、頂部カバーおよびステムの頂端部の嵌合により、ステムは、同じ所望の方向に移動する。ステムの底端部が密閉部分と嵌合するので、これはその結果、密閉部分を移動させる。第５の位置で、頂部カバーは、分与部分の少なくとも一部分を露出させ、密閉部分は、缶端部の底面から所定の距離だけ離間され、ステムは、溝形ガイドの第１の端部から所定の距離に位置付けられる。
【００７５】
第５の位置から、ユーザは、頂部カバーを、例えば第６の位置に向けて、所望の方向に移動させるように、頂部カバーの把持部のうちの１つもしくは複数を使用してもよい。頂部カバーが所望の方向に移動するにつれて、頂部カバーおよびステムの頂端部の嵌合により、ステムは、同じ所望の方向に移動する。この所望の方向は、第１の位置から第２の位置に移行する時に、頂部カバーおよびねじの頂端部が移動する、反対の方向であってもよい。この第６の位置への移動の際に、密閉部分は、係止位置で缶端部の底面と接触し、ステムは、溝形ガイドの第１の端部から所定の距離に位置付けられる。特定の実施例では、密閉部分の副構成要素は、缶端部の底面と接触する。副構成要素は、Ｏリングまたはガスケットであってもよい。
【００７６】
別の実施形態では、第１の位置で、頂部カバーは、分与部分を覆い、さらに缶端部の一部分を覆ってもよい。この第１の位置で、頂部カバーのレバーは、頂部カバー上に静置されていて、密閉部分は、係止位置で缶端部の底面と接触している。
【００７７】
ユーザは、頂部カバーを、例えば第２の位置に向けて、所望の方向に移動させるように、頂部カバーのレバーを使用してもよい。レバーが所望の方向に移動するにつれて、例えば、レバーが第１の位置に対して持ち上げられるにつれて、頂部カバーおよび密閉部分で嵌合により、密閉部分は、缶端部の底面から所定の距離だけ離間される。容器の内容物が加圧下で密閉される場合、圧力は、第１の位置から第２の位置への移行中に、容器から解放される。
【００７８】
ユーザはここでも、頂部カバーを、例えば第３の位置に向けて、所望の方向に移動させるように、頂部カバーのレバーを使用してもよい。頂部カバーが所望の方向に移動するにつれて、密閉部分も同じ所望の方向に移動する。第３の位置で、頂部カバーは、分与部分を露出させ、密閉部分は、缶端部の底面から所定の距離だけ離間される。
【００７９】
ユーザは、頂部カバーを、例えば第４の位置に向けて、所望の方向に移動させるように、頂部カバーのレバーを使用してもよい。レバーが所望の方向に移動するにつれて、例えばレバーが下げられるにつれて、密閉部分は、係止位置で缶端部の底面と接触する。特定の実施例では、密閉部分の副構成要素は、缶端部の底面と接触する。副構成要素は、Ｏリングまたはガスケットであってもよい。
【００８０】
第２の位置から、ユーザは、頂部カバーを、例えば第５の位置に向けて、所望の方向に移動させるように、頂部カバーのレバーを使用してもよい。頂部カバーが所望の方向に移動するにつれて、頂部カバーおよび密閉部分の嵌合により、密閉部分も所望の方向に移動する。第５の位置で、頂部カバーは、分与部分の少なくとも一部分を露出させ、密閉部分は、缶端部の底面から所定の距離だけ離間される。
【００８１】
レバーが所望の方向に移動するにつれて、例えばレバーが下げられるにつれて、密閉部分は、係止位置で缶端部の底面と接触する。特定の実施例では、密閉部分の副構成要素は、缶端部の底面と接触する。副構成要素は、Ｏリングまたはガスケットであってもよい。
【００８２】
別の実施形態では、閉鎖システムは、容器本体と嵌合されるように構成および配設される容器を密閉するように構成される。特定の実施形態では、閉鎖システムは、分与部分と、その中に形成される溝形ガイドとを有する、缶端部を含む。溝形ガイドは、第１の端部と、第２の端部とを含む。缶端部は、容器本体の端部に固着されるように構成および配設される。閉鎖システムはさらに、頂部カバーと、密閉部分とを有する可動式の閉鎖要素を含む。頂部カバーは、レバーを有し、密閉部分は、レバーを受け入れるように配設される、レバー受容部分を有する。この配設は、レバーが持ち上げられるにつれて、密閉部分が缶端部から離れて下向きに移動し、頂部カバーが溝形ガイドの第１の端部から水平に溝形ガイドの第２の端部に向けて移動するにつれて、分与部分が露出されるようになっている。
【００８３】
頂部カバーは、第１、第２、第３、第４、第５、および第６の位置から移動可能である。第１の位置で、密閉部分が缶端部の底面と接触している状態で、頂部カバーは、分与部分を覆い、頂部カバーのレバーは、頂部カバー上に静置される。第２の位置で、密閉部分が缶端部の底面から所定の距離だけ離間された状態で、頂部カバーは、分与部分を覆い、レバーは、第１の位置に対して持ち上げられる。第３の位置で、密閉部分が缶端部の底面から所定の距離だけ離間された状態で、頂部カバーおよび密閉部分は、分与部分を露出させる。第４の位置で、レバーが頂部カバー上に静置するように下げられ、密閉部分が缶端部の底面と接触している状態で、頂部カバーおよび密閉部分は、分与部分を露出させる。第５の位置で、頂部カバーのレバーが第４の位置に対して持ち上げられ、密閉部分が缶端部の底面から所定の距離だけ離間された状態で、頂部カバーおよび密閉部分は、分与部分の少なくとも一部分を露出させる。第６の位置で、頂部カバーのレバーが第５の位置に対して下げられ、密閉部分が缶端部の底面と接触している状態で、頂部カバーおよび密閉部分は、分与部分の少なくとも一部分を露出させる。
【００８４】
特定の実施形態では、缶端部は、頂部カバーおよび密閉部分のうちの少なくとも１つの材料と適合性がある材料でできている。具体的には、頂部カバーおよび密閉部分のうちの少なくとも１つは、ポリマー材料でできている。ポリマー材料の総重量は、１０グラム以下であってもよい。
【００８５】
他の実施形態では、レバーは、レバー受容部分と操作可能に相互作用するように構成および配設されてもよい。頂部カバーは、頂部カバーを固定要素に少なくとも部分的に固着し、かつレバーと嵌合するように構成および配設されてもよい。頂部カバーは、頂部カバーの別の部分と嵌合し、頂部カバーを固定要素に少なくとも部分的に固着するように構成および配設されてもよい。頂部カバーは、頂部カバーの溝形ガイドとの整合を維持するように構成および配設されてもよい。この配設は、容器内の内容物が加圧されるようになっており、かつ密閉部分が、容器内からの圧力を解放するように構成および配設されている。レバーは、容器内からの圧力を解放するように、密閉部分と操作可能に相互作用するように構成される。具体的には、圧力は、レバーが頂部カバー上の静置位置から所定の角度まで持ち上げられた時に、容器から解放される。この配設は、レバーが持ち上げられるにつれて、容器内からの圧力を解放するように、レバーの一部分が密閉部分と整合させられるようになっている。
【００８６】
さらなる一実施形態では、閉鎖システムは、容器本体と嵌合するように構成および配設される容器を密閉するように構成される。特定の実施形態では、閉鎖システムは、分与部分と、溝形ガイドとを有する、缶端部を含む。缶端部は、容器本体の端部に固着されるように構成および配設される。閉鎖システムはさらに、頂部カバーと、密閉部分とを有する、可動式の閉鎖要素を含む。一実施形態では、頂部カバーは、頂部カバーと操作可能に相互作用する把持部と密閉部分とを含む。この配設は、頂部カバーが係合されるにつれて、密閉部分が垂直方向に移動し、頂部カバーが溝形ガイドに沿って水平方向に移動するにつれて、密閉部分が水平方向に移動するようになっている。
【００８７】
ここで、図面を参照すると、一実施形態では、図１Ａ〜図１Ｃは、従来の製造プロセスから作製される容器本体１００が使用される、飲料容器１０を例示する。容器本体１００は、閉鎖システム１０２に取り付けられる。閉鎖システム１０２は、固定要素１０４と、可動式の閉鎖要素１０６とを備える（図２Ａおよび図２Ｂに示す）。図１Ａは、飲料容器の斜視図であって、閉鎖位置にある飲料容器１０を例示する。図１Ｂは、飲料容器の斜視図であって、頂部カバー１１８が分与部分１１４を部分的に露出させている、部分的に開口された位置にある飲料容器１０を例示する。図１Ｃは、飲料容器の斜視図であって、頂部カバー１１８が分与部分１１４を完全に露出させている、完全に開口された位置にある飲料容器１０を例示する。
【００８８】
図２Ａおよび図２Ｂの分解図に示されるように、図１Ａ〜図１Ｃの飲料容器１０の閉鎖システム１０２は、複数の構成要素を備える。示されるように、固定要素１０４は、分与部分１１０を有する、缶端部１０８を備える。この実施形態では、固定要素１０４は、また、分与部分１１４と、溝形ガイド１１６とを備えた缶カバー１１２を備えている。固定要素１０４は、缶カバー１１２を缶端部１０８上に配置し、分与部分１１４を分与部分１１０と整合させ、溝形ガイド１１６を分与部分１１０と整合させることによって組み立てられてもよい。
【００８９】
図２Ａおよび図２Ｂの閉鎖システム１０２は、また、可動式の閉鎖要素１０６を備える。示されるように、可動式の閉鎖要素１０６は、ユーザが容器を開口および閉鎖するのを支援するように、把持部１１９を有する頂部カバー１１８を備える。可動式の閉鎖要素１０６は、また、ステム１２２と、溝１５０を有する密閉部分１２０とを備える。可動式の閉鎖要素１０６は、ステム１２２の頂端部１２４が、頂部カバー１１８の中の開口部１２６と嵌合することができるように、分与部分１１０および溝形ガイド１１６を通してステム１２２の頂端部１２４を挿入することによって組み立てられてもよい。密閉部分１２０は、密閉部分と缶端部１０８の底面１３０との間の厳密な密閉を確保するように、ガスケット１２８と嵌合することができる。これは、部材１３２を密閉部分１２０の開口部１３４と整合させることによって達成され得る。ガスケット１２８を密閉部分１２０に取り付けるために、他の種々の手段が、前述のように使用されてもよい。密閉部分１２０は、ねじ付き表面１３８を有するステム１２２の底端部１３６を、密閉部分１２０のねじ付き部１４０と噛み合うことによって、ステム１２２と嵌合してもよい。ねじ付き表面１３８のねじ付き部１４０との噛み合いは、密閉部分１２０が、垂直に、すなわち固定要素１０４に対して上向きまたは下向きに移動することを可能にする。
【００９０】
一実施形態では、図３Ａ〜図３Ｄは、２つの構成要素の固定要素が組み立てられる１つの方法を例示する。図３Ａは、分与部分１１４と、溝形ガイド１１６とを備える、缶カバー１１２を例示する。図３Ｂは、分与部分１１０を備える、缶端部１０８を例示する。図３Ｃおよび図３Ｄに示されるように固定要素を組み立てるために、例えば米国食品医薬品局に承認された接着剤といった、接着剤を、缶カバー１１２の底面および／または缶端部１０８の頂面に塗布する場合がある。次いで、分与部分１１４および缶カバー１１２の溝形ガイド１１６を缶端部１０８の分与部分１１０と整合させることによって、缶カバー１１２および缶端部１０８を嵌合してもよい。これは、図３Ｄに示されるように、溝形ガイド１１６が、缶端部１０８の分与部分１１０を通して缶端部１０８の表面より下側に存在することを可能にする。
【００９１】
別の実施形態では、図４Ａ〜図４Ｄは、２つの構成要素の固定要素が組み立てられる別の方法を例示する。図４Ａは、分与部分１１４と、溝形ガイド１１６と、開口部（複数）１４２とを備える、缶カバー１１２を例示する。図４Ｂは、分与部分１０８と、ペグ（複数）１４４とを備える、缶カバー１０８を例示する。図４Ｃおよび図４Ｄに示されるように固定要素を組み立てるために、缶カバー１１２の開口部１４２は、缶カバー１１２が缶端部１０８の頂部に配置される時に、缶端部１０８のペグ１４４と整合される。図４Ｃおよび図４Ｄに示されるように、缶カバー１１２が缶端部１０８の頂部に配置されると、ペグ１４４は、これらの２つの部品を適所に固着して固定要素を形成する、平坦化されたペグ１４６を形成するように、缶カバー１１２および缶端部１０８に対して平坦化される。
【００９２】
別の実施形態では、図５Ａ〜図５Ｅは、２つの部品の固定要素が組み立てられる別の方法を例示している。図５Ａおよび図５Ｂは、分与部分１１４と、溝形ガイド１１６と、圧接溝１５１を有するリップ１４８と、を備える、缶カバー１１２を例示する。図５Ｃおよび図５Ｄは、分与部分１１０と、圧接ライン１５４を有する張り出し部１５２とを備える、缶端部１０８を例示する。図５Ｅに示されるように固定要素１０４を組み立てるために、固定要素１０４の圧接部分１５６を形成するように、リップ１４８および張り出し部１５２を相互に結合して圧接する。
【００９３】
別の実施形態では、２つの構成要素の固定要素の構成要素を嵌合するように、スナップフックが使用されてもよい。本開示の利点を考慮して、固定要素の構成要素を相互に嵌合するための好適な形状、サイズ、および材料を選択または設計することは、当業者の能力の範囲内であろう。
【００９４】
図６Ａおよび図６Ｂに示されるさらに別の実施形態では、固定要素は、一体型として構成されてもよい。この実施形態では、固定要素２０４は、アルミニウムでできていてもよい。缶端部２０８は、分与部分２１４と、溝形ガイド２１６とを備える。この実施形態では、缶端部２０８のための出発材料は、分与部分２１４および溝形ガイド２１６が形成される場合がある、従来の製造プロセスから制作されてもよい。この実施形態は、いかなる缶カバーも必要とせず、閉鎖システムのための固定要素２０４を制作するプロセスを簡素化する。
【００９５】
図７Ａ〜図８Ｂは、特定の実施形態による、閉鎖システムの一部分の斜視図を例示する。図７Ａおよび図７Ｂは、組み立て前の、把持部１１９を有する頂部カバー１１８と、溝形ガイド１１６および分与部分１１０を有する固定要素１０４と、頂端部１２４および底端部１３６を有するステム１２２とを例示する。示されるように、ステム１２２は、固定要素１０４の溝形ガイド１１６の中に挿入される。ステム１２２の頂端部１２４は、頂部カバー１１８の開口部１２６と嵌合する。これらの２つの構成要素の嵌合は、ステム１２２の頂端部１２４のスナップフック１７０を、頂部カバー１１８の開口部１２６の溝１７２の中に挿入することによって、または前述した他の種々の嵌合手段によって達成することができる。図８Ａおよび図８Ｂは、頂部および底面斜視図から見た、この閉鎖要素の組立部分を例示する。
【００９６】
図９Ａ〜図９Ｆは、頂部カバーと、ステムと、固定要素（図９Ａ−９Ｆに示されない）とをともに組み立てるための、種々の他の方法を例示する。例えば、図９Ａは、頂部カバー３１８の開口部３２６の溝３７２と嵌合することができる、ステム３２２の頂端部３２４のスナップフック３７０の使用を再度例示する。図９Ｂは、これらの構成要素の嵌合を達成するように、ステム４２２の頂端部４２４に、頂部カバー４１８の開口部４７４に、または頂端部４２４および開口部４７４の両方に塗布されてもよい、接着剤の使用を示す。また、図９Ｃに示されるように、これらの構成要素を嵌合するために、スピン溶接が使用されてもよい。別の実施形態では、締結具６７６が、頂部カバー６１８の開口部６７８およびステム６２２の頂端部６２４の開口部６８０を通して挿入されてもよい。図９Ｅは、頂部カバー７１８の開口部７２６の中に挿入される、予圧接リベット７８２を例示する。固定要素（図示せず）が頂部カバー７１８より下側に配置され、その後に、ワッシャ７８６とともに開口部７７４の中に挿入される、ステム７２２が続く。これらの構成要素のそれぞれが配置されると、予圧接リベット７８２は、構成要素を相互に嵌合するように、７８４で示されるように圧接される。別の実施例では、図９Ｆは、開口部８８４の中に挿入されてもよい、ステム８２２を例示し、これらの構成要素は、頂部カバー８１８の圧接領域８８８、およびステム８２２の圧接溝８９０においてともに圧接されてもよいようになっている。本開示の利点を考慮して、本明細書に開示される閉鎖要素の構成要素のための好適な嵌合構成を選択または設計することは、当業者の能力の範囲内であろう。
【００９７】
ステム１３６、頂部カバー１１８、および固定要素１０４が組み立てられると、密閉部分１２０は、図１０Ａおよび図１０Ｂに示されるように取り付けられてもよい。ガスケット１２８は、部材１２２を密閉部分１２０の開口部１３４と整合させることによって、密閉部分１２０に固着することができる。ガスケット１２８が配置されると、密閉部分１２０は、ステム１２２の底端部１３６を密閉部分１２０のねじ付き部１４０と嵌合することによって、適所にねじ止めされる。これは、閉鎖要素の組み立てを完了させ、これで、前述した種々の方法、または任意の他の好適な手段のうちの１つによって、容器本体と嵌合させるための準備が完了する。
【００９８】
閉鎖システム１０２を備える容器を最初に使用すると、閉鎖要素１０２は、図１１Ａおよび図１１Ｂに示されるように第１の位置に位置する。この第１の閉鎖した係止位置で、頂部カバー１１８は、固定要素１０４上に静置され、分与部分１１４を覆い、ステム１２２の頂端部１２４と嵌合する。密閉部分１２０は、固定要素１０４の底面と接触し、ガスケット１２８の使用とともに厳密な密閉を形成する。
【００９９】
図１２Ａおよび図１２Ｂは、閉鎖システム１０２が、閉鎖した係止解除位置にある、第２の位置を例示する。頂部カバー１１８は、把持部１１９の使用で時計回り方向に回転する。図１２Ａに示されるように、ステム１２２は、また、頂部カバー１１８とともに回転する。図１２Ｂは、頂部カバー１１８の回転が密閉部分１２０に関して有する、効果を例示する。図１２Ｂに示されるように、密閉部分１２０は、もはや固定要素３０４の底面と接触しておらず、密閉部分１２０のねじ付き部分１４０の区間１４１の存在から明らかなように、下向きに所定の距離だけ移動している。
【０１００】
固定要素１０４の底面から密閉部分１２０を解放することによって、ユーザは、ここで、頂部カバー１１８を、溝形ガイド１１６の第１の端部１０７から溝ガイド１１６の第２の端部１０９に、または溝ガイド１１６の第１の端部１０７から所定の距離等の中間のどこかに摺動させてもよい。頂部カバー１１８を、溝形ガイド１１６の第１の端部１０７から所定の距離だけ、または溝形ガイド１１６の第２の端部１０９まで移動させることによって、固定要素１０４の分与部分１１４を、図１３Ａおよび図１３Ｂに示されるように部分的に（第５の位置において）、または図１４Ａおよび図１４Ｂに示されるように完全に（第３の位置において）露呈することができる。これらの位置は、部分的に開口した係止解除した、または完全に開口した係止解除した位置を表す。
【０１０１】
別の実施形態では、図１５Ａおよび図１５Ｂは、完全にアルミニウムで構成され得る、再閉鎖可能な飲料容器９０の斜視図を例示する。飲料容器９０は、容器本体９００と、閉鎖システム９０２とを備える。閉鎖システム９０２は、固定要素９０４を備える。図１５Ａおよび図１５Ｂに示されるように、可動式の閉鎖要素は、把持部９１９およびリベット９６０を有する、頂部カバー９１８を備える。図１５Ｂは、また、把持部６１９を有する頂部カバー６１８に加えて、密閉部分９２０を備え、リベット９６０で固着される、可動式の閉鎖要素を示す。
【０１０２】
図１５Ａおよび図１５Ｂに例示される閉鎖システム９０２の図１６Ａおよび図１６Ｂの分解図は、各閉鎖要素９０２の構成要素のそれぞれを示す。示されるように、図１６Ａおよび図１６Ｂは、ポリマー材料でできていてもよいガスケット９２８を除いて、アルミニウムでできている構成要素を例示する。リベット９６０は、ステム９２２の頂端部９２４を頂部カバー９１８と嵌合するのを支援する。これを達成するために、ステム９２２は、溝形ガイド９１６を通して挿入され、固定要素９０４が、頂部カバー９１８の底面９１７に対して位置付けられることを可能にする。ここで、ガスケット９２８を、ステム９２２の底端部９３６と嵌合する雄ねじ付き表面９３９を有する、密閉部分９２０上に配置することができる。底端部９３６は、雌ねじ付き表面９３８を有する。代替の実施形態では、ねじ付き表面９３９は、雄ねじを有してもよい一方で、ねじ付き表面９３８は、雌ねじを有してもよい。図１６Ａおよび１６Ｂは、密閉部分９２０およびステム９２２が嵌合するのを支援する、ワッシャ９６２を例示する。
【０１０３】
別の実施形態では、閉鎖システム１０２’は、図１７Ａおよび図１７Ｂに示され、固定要素１０４’と、頂部カバー１１８’および密閉部分１２０’を備える可動式の閉鎖要素とを備える。頂部カバー１１８’は、把持部１１９’を備える。この実施形態では、把持部１１９’は、リング１９２’とレバー１９４’とを備え、ユーザが、頂部カバー１１８’を、例えば水平方向といった、所望の方向に移動させるのを支援し、また、密閉部分１２０’が、例えば垂直方向といった、所望の方向に移動することを可能にする。他の実施形態において、リングは、任意選択であってもよい。頂部カバー１１８’は、また、締結具を使用して把持部１１９’を頂部カバー１１８’に固定することを可能にする、開口部１２６’を備える。
【０１０４】
図１８Ａおよび図１８Ｂは、取り外し可能な閉鎖要素１０２’を分解図で例示する。示されるように、把持部１１９’は、頂部カバー１１８’の開口部１２６’および把持部１１９’の開口部１９３’を通して締結具１９６’を配置することによって、頂部カバー１１８’に固定され得る、リング１９２’と、レバー１９４’とを備える。締結具１９６’は、頂部カバー１１８’および把持部１１９’を結合または固定するために好適ないかなる装置または材料であってもよい。例えば、締結具１９６’は、ワイヤ、プラスチックで被覆したワイヤ、ヒンジ、ばね、ボルト、ねじ、釘、留め具、ペグ、例えばコッターピンといったピンであってもよい。１つもしくは複数の構成要素でできていてもよい固定要素１０４’は、前述のように、分与部分１１４’と、溝形ガイド１１６’とを備える。密閉部分１２０’は、溝１５０’の中に存在する、レバー受容部分１９８’を備える。密閉部分１２０’は、また、部材１３２’を開口部１３４’と嵌合することによって密閉部分１２０’に取り付けられる、ガスケット１２８’を備えてもよい。頂部カバー１１８’および把持部１１９’は、頂部カバー１１８’および溝形ガイド１１６’を通してレバー１９４’を挿入し、かつレバー１９４’をレバー受容部分１９８’と嵌合することによって、固定要素１０４’および密閉部分１２０’と嵌合してもよい。これらの構成要素は、レバー受容部分１９８’の開口部１０３’、およびレバー１９４’の開口部１０５’を通して締結具１０１’を挿入することによって接続される。
【０１０５】
図１９Ａ〜図２２Ｂは、操作中の閉鎖システム１０２’の種々の位置を例示する。図１９Ａおよび図１９Ｂは、閉鎖した係止位置にある閉鎖システムを例示し、図中、頂部カバー１１８’は、固定要素１０４’の分与部分１１４’を覆っている。リング１９２’およびレバー１９４’は、開口部１０５’の第１の端部１１１’において、締結具１０１’によって頂部カバー１１８’上に水平に静置されている。密閉部分１２０’は、レバー受容部分１９８’が溝形ガイド１１６’の第１の端部１０７’に存在する状態で、固定要素１０４’の底面に対して当接して存在する。この閉鎖位置では、閉鎖システム１０２’は、この閉鎖システムを利用する容器を液体が漏れ出すことを防止する、厳密な密閉を提供する。
【０１０６】
図２０Ａおよび図２０Ｂは、閉鎖した係止解除位置にある閉鎖システム１０２’を例示し、図中、分与部分１１４’はまだ、頂部カバー１１８’によって覆われているが、密閉部分１２０’は、もはや固定要素１０４’の底面に対して当接して存在しない。示されるように、リング１９２’は、レバー１９４’がもはや頂部カバー１１８’上に静置されず、代わりに、レバー１９４’が、閉鎖位置でのレバー１９４’に垂直な位置にあるように移動している。締結具１０１’は、開口部１０５’の第２の端部１１３’に存在するように開口部１０５’に追従し、開口部１０５’は、レバー受容部分１９８’、すなわち密閉部分１２０’を、固定要素１０４’の底面から所定の距離だけ垂直に下向きに移動させる。
【０１０７】
図２１Ａおよび図２１Ｂは、開口した係止解除位置にある閉鎖システム１０２’を例示し、図中、頂部カバー１１８’は、もはや分与部分１１４’を覆っていない。示されるように、リング１９２’およびレバー１９４’は、まだ、それらが頂部カバー１１８’上に静置されていない位置にある。レバー１９４’は、水平方向に移動しており、同様に、頂部カバー１１８’および密閉部分１２０’も水平方向に移動させる。ここで、レバー受容部分１９８’は、溝形ガイド１１６’の第２の端部１０９’に存在する。密閉部分１２０’は、固定要素１０４’の底面から所定の距離だけ離間されたままである。
【０１０８】
図２２Ａおよび図２２Ｂは、密閉部分１２０’が固定要素１０４’の底面に突き当たっている状態の、開口した係止位置にある閉鎖システム１０２’を示す。閉鎖システム１０２’は、開口位置にあり、頂部カバー１１８’は、もはや分与部分１１４’を覆っていない。示されるように、リング１９２’およびレバー１９４’が移動して、現在は、頂部カバー１１８’上に静置されている。締結具１０１’は、開口部１０５’の第１の端部１１３’に存在するように開口部１０５’に追従し、これは、レバー受容部分１９８’、したがって密閉部分１２０’を所定の距離だけ垂直に上向きに移動させ、これによって、密閉部分１２０’は、固定要素１０４’の底面の上に当接して存在する。
【０１０９】
別の実施形態では、閉鎖システム１００２は、図２３Ａおよび図２３Ｂに示され、固定要素１００４（または缶端部１００８）と、頂部カバー１０１８および密閉部分１０２０を備える可動式の閉鎖要素１００６とを備える。頂部カバー１０１８は、レバー１０９４を備え、ユーザが、頂部カバー１０１８を、例えば水平方向といった、所望の方向に移動させるのを支援し、また、密閉部分１０２０が、例えば垂直方向といった、所望の方向に移動するのを可能にする。
【０１１０】
図２３Ａに示されるように、レバー１０９４は、頂部カバー１０１８上でスナップフック１０９７と嵌合することができる、溝１０９５を備える。図２３Ａでは、レバー１０９４および頂部カバー１０１８の嵌合は、スナップフックおよび開口部として描写されているが、上記に列挙されるような、他の種類の嵌合技術を使用することができる。図２３Ａに示されるように、頂部カバー１０１８は、また、頂部カバー１０１８を缶端部１００８上に固着する役割を受け持つことができる、アーム１０２１を備える。
【０１１１】
図２３Ａには、密閉部分１０２０のレバー受容部分１０９８も示される。以下にさらに詳細に説明するように、レバー１０９４の先割部１０９９は、レバー受容部分１０９８と嵌合し、したがって、密閉部分１０２０が、レバー１０９４と相互作用するのを可能にする。
【０１１２】
図２３Ｂに示されるように、密閉部分１０２０は、缶端部１００８の底面に当接して存在することができる。密閉部分１０２０は、何らかの缶内からの圧力がある場合に缶内からの圧力を解放するのを支援することができる、開口部１０２５と、オーバーモールド１０２７とを備える。
【０１１３】
図２４Ａおよび図２４Ｂは、レバー１０９４を伴わない頂部カバー１０１８の上面図および斜視図を例示する。頂部カバー１０１８は、アーム１０２１と、ウィング１０２９と、不正開封確認機構１０２３とを含む、複数の構成要素を備える。組み立て中に頂部カバー１０１８が缶端部上に位置付けられる時に、アーム１０２１は、ヒンジ１０３７で下向きに屈曲する。頂部カバー１０１８のアーム１０２１は、例えば図２５Ａ〜図２５Ｃに示される、レバー１０９４のピン１０３３の端部１０３５と嵌合することができる、開口部１０３１を備える。アーム１０２１は、また、頂部カバー１０１８の下側に位置するスナップフック１０４１と嵌合することができる、溝１０３９を備える。頂部カバー１０１８は、また、頂部カバー１０１８の下側に位置し、頂部カバー１０１８と缶端部の溝形ガイドとの適切な整合を確保するのを支援する、突起１０４３を備える。
【０１１４】
図２５Ａ〜図２５Ｃは、頂部カバー１０１８のレバー１０９４の上面図および斜視図を例示する。レバー１０９４は、先割部１０９９を備え、閉鎖システムを組み立てる前に、ピン１０３３が、先割部１０９９のうちの１つに嵌合する。ピン１０３３は、図２８Ａ〜図３３Ｃに示されるようにレバー受容部分１０９８の中の開口部１００３によって受け入れられ、また、レバー１０９４の先割部１０９９の開口部１０４７によっても受け入れられる。ピン１０３３は、容器内からの圧力を解放するのを支援することができる、開口部１０４５を備える。前述のように、ピン１０３３の端部１０３５は、頂部カバー１０２０の構成要素を相互に、および固定要素１００８に固着するのを支援するように、頂部カバー１０１８のアーム１０２１の開口部１０３１と嵌合する。ピン１０３３および開口部１００３の幅の断面は、種々の形状およびサイズであることができ、それによって、ピン１０３３は、レバー１０９４の移動に応じて、密閉部分１０２０を、例えば垂直に下向きまたは上向きといった、所望の方向に移動させるように、密閉部分１０２０と操作可能に相互作用する場合がある。
【０１１５】
図２６Ａ〜図２７Ｃは、密閉部分１０２０の上面図および断面図を例示する。図２６Ａ〜図２６Ｃでは、ガスケット１０２８、および開口部１０４９を備えるオーバーモールド１０２７は、別個の部品として製造される一方で、図２７Ａ〜図２７Ｃでは、ガスケット１０２８および開口部１０４９を備えるオーバーモールド１０２７は、１つの部品として製造される。図２６Ａおよび図２７Ａは、缶端部１００８の底面と接触することができる密閉部分１０２０の表面の上面図を例示し、ガスケット１０２８およびレバー受容部分１０９８を示す。図２６Ｂおよび図２７Ｂは、缶端部の内側と接触する、表面と対向する密閉部分１０２０の表面の上面図を例示し、開口部１０２５およびオーバーモールド１０２７を示す。図２６Ｃおよび図２７Ｃは、密閉部分１０２０の断面図を例示する。図２６Ｃでは、ガスケット１０２８およびオーバーモールド１０２７は、別個の部品として製造される一方で、図２７Ｃでは、ガスケット１０２８およびオーバーモールド１０２７は、１つの部品として製造される。レバー受容部分１０９８は、ピン１０３３によりレバー１０９４と嵌合する開口部１００３を備える。
【０１１６】
図２８Ａ〜図３４Ｃは、種々の操作位置での、完全に組み立てられた閉鎖システム１００２の上面図および断面図を例示する。図２８Ａ〜図２８Ｃは、閉鎖位置にある閉鎖システム１００２を例示し、図中、頂部カバー１０１８は、分与部分１０１４より上側に位置付けられ、密閉部分１０２０は、缶端部１００８の底面に対して当接して存在する。この閉鎖位置では、レバー１０９４は、頂部カバー１０１８上に静置され、頂部カバー１０１８のスナップフック１０９７をレバー１０９４の溝１０９５と嵌合することによって、適所に係止される。レバーは、缶端部１００８のリップ１０５１を超えない高さであり、容器を頂部上に相互に積重ねることを容易にする。加えて、図２８Ｂに例示されるように、不正開封確認機構（tamper evident feature）１０２３は、閉鎖システムがユーザによってまだ開口されていないことを示すように位置付けられる。この閉鎖位置では、ピン１０３３の開口部１０４５は、オーバーモールド１０２７の開口部１０４９と整合させられていない。ピン１０３３の頂部分１０３３ａは、レバー受容部分１０２０と接触している一方で、ピン１０３３の底部分１０３３ｂは、オーバーモールド１０２７と接触していて、それによって、閉鎖位置にある弁を生み出す。オーバーモールド１０２７は、容器内の何らかの圧力により、底部分１０３３ｂに突き当たって少なくとも部分的に適所に保持されていてもよい。
【０１１７】
図２９Ａ〜図２９Ｃは、完全に組み立てられた閉鎖システム１００２の上面図および断面図を例示し、図中、レバー１０９４は、開口プロセスを始めるように持ち上げられている。この位置で、頂部カバー１０１８はまだ、分与部分１０１４の上側に位置付けられ、密閉部分１０２０は、缶端部１００８の底面に当接して存在する。レバー１０９４を第１の所定の角度まで持ち上げることで、レバーを頂部カバー１０１８のスナップフック１０９７から解放し、また、ピン１０３３を回転させ、それによって、開口部１０４５がオーバーモールド１０２７の開口部１０４９と整合し始め、弁が部分的に開口された位置にあることを可能にする。ピン１０３３の頂部分１０３３ａはまだ、部分的にレバー受容部分１０２０と接触している一方で、ピン１０３３の底部分１０３３ｂはまだ、オーバーモールド１０２７と部分的に接触している。図３５Ａ〜図３５Ｂは、ピン１０３３の開口部１０４５を示すレバー１０９４の斜視図を例示する。前述のように、開口部１０４５が開口部１０４９と整合し始めるにつれて、何らかの容器内からの圧力がある場合、この圧力を解放してもよい。図２９Ｂに示されるように、不正開封確認機構１０２３は、ここでは、直立した位置に示され、閉鎖システム１００２が開口されたことを示す。第１の所定の角度は、例えば、約３５度から約５５度の間であってもよい。
【０１１８】
図３０Ａ〜図３０Ｃは、完全に組み立てられた閉鎖システム１００２の上面図および断面図を例示し、図中、レバー１０９４は、ピン１０３３の開口部１０４５をオーバーモールド１０２７の開口部１０４９と完全に整合するように、第２の所定の角度まで持ち上げられ、弁が開口位置にあることを可能にする。ピン１０３３の部分１０３３ｃは、レバー受容部分１０９８と操作可能に相互作用して、密閉部分１０２０を、缶端部１００８から離れて下方向に移動させ始めるように位置付けられる。ピン１０３３の頂部分１０３３ａおよび底部分１０３３ｂは、もはやレバー受容部分１０２０と接触していない。第２の所定の角度は、例えば、約４５度から約７５度の間であってもよい。
【０１１９】
図３１Ａ〜図３１Ｃは、完全に組み立てられた閉鎖システム１００２の上面図および断面図を例示し、図中、レバーはさらに、第３の所定の角度まで持ち上げられ、ピン１０３３が、密閉部分１０２０をその最下位置まで移動するのを可能にする。この位置では、密閉部分１０２０は、もはや缶端部１００８の底面と接触しておらず、レバー１０９４は、その最も幅の広い角度に到達しており、頂部分１０３３ａおよび底部分１０３３ｂを開口部１００３内に構成することにより、レバー１０９４のさらなる持ち上げを防止する。この位置では、弁は、まだ開位置である。第３の所定の角度は、例えば、約６５度から約１２５度の間であってもよい。
【０１２０】
図３２Ａ〜図３２Ｃは、完全に組み立てられた閉鎖システム１００２の上面図および断面図を例示し、図中、レバー１０９４および密閉部分１０２０を備える頂部カバー１０１８を含む、可動式の閉鎖要素は、缶端部１００８に沿って水平に移動している。この位置では、レバー１０９４は、図３１Ａ〜図３１Ｃに示されるような、持ち上げられた位置を保ち、密閉部分１０２０は、弁がまだ開口位置にある状態で、缶端部１００８の底面からある距離を保っている。これらの図に示されるように、分与部分１０１４は、ここで、ユーザが、容器から内容物を注ぐ、あるいは除去することを可能にするように露出している。
【０１２１】
図３３Ａ〜図３３Ｃは、完全に組み立てられた閉鎖システム１００２の上面図および断面図を例示し、図中、レバー１０９４および密閉部分１０２０を備える頂部カバー１０１８を含む、可動式の閉鎖要素は、図３２Ａ〜図３３Ｃに示されるように、分与部分１０１４が露出するような位置を保つ。この位置では、レバー１０９４が下げられ、ピン１０３３を回転させる方向が逆になり、それによって、密閉部分１０２０は再度、缶端部１００８の底面に当接して位置付けられる。また、レバー１０９４を下げることで、ピン１０３３が回転し、それによって、ピン１０３３の開口部１０４３は、オーバーモールド１０２７の開口部１０４９と整合しない。ピン１０３３の頂部分１０３３ａは、再度、レバー受容部分１０２０と接触している一方で、ピン１０３３の底部分１０３３ｂは、オーバーモールド１０２７と接触していて、それによって、弁を閉鎖位置に移動させて、容器の再閉鎖性を示すことになる。
【０１２２】
さらなる実施態様では、図３４Ａ〜図３４Ｃは、完全に組み立てられた閉鎖システム１００２の上面図および断面図を例示し、図中、レバー１０９４は、開口プロセスを始めるように持ち上げられている。この位置で、頂部カバー１０１８はまだ、分与部分１０１４の上側に位置付けられ、密閉部分１０２０は、缶端部１００８の内側に当接して静置されている。レバー１０９４を第１の所定の角度まで持ち上げることで、レバーを頂部カバー１０１８のスナップフック１０９７から解放し、また、ピン１０３３を回転させ、それによって、開口部１０４５がオーバーモールドの開口部１０４９と整合し始め、弁が部分的に開口された位置にあることを可能にする。ピン１０３３の頂部分１０３３ａはまだ、部分的にレバー受容部分１０２０と接触している一方で、ピン１０３３の底部分１０３３ｂはまだ、オーバーモールド１０２７と部分的に接触している。この実施形態では、開口部１０４５は、ピン１０３３の幅を通過する開口部ではなく、ピン１０３３の表面上のスリットまたは刻み目という形態をとる。図３６Ａ〜図３６Ｂは、ピン１０３３のスリットまたは刻み目開口部１０４５の斜視図を例示する。前述のように、スリットまたは刻み目開口部１０４５が開口部１０４９と整合し始めるにつれて、何らかの容器内からの圧力がある場合、解放される場合がある。図２９Ｂに示されるように、不正開封確認機構１０２３は、ここでは、直立した位置にあり、閉鎖システムが開口されたことを示す。
【０１２３】
前述の特定の実施形態の閉鎖システムを組み立てるために、密閉部分１０２０のレバー受容部分１０９８は、ピン１０３３により頂部カバー１０１８のレバー１０９４と嵌合する。レバー１０９４のピン１０３３の第１の端部１０３５は、開口部１００３を通してレバー受容部分１０９８の中に挿入される。続いて、開口部１０４７を有するレバー１０９４の開口先割部１０９９は、ピン１０３３の第１の端部１０３５と嵌合する。次いで、缶端部１００８の溝形ガイドは、それが溝形ガイドを通過することを可能にするように、レバー１０９４と整合させられる。特定の実施例では、缶端部１００８の溝形ガイドは、閉鎖システム１００２内のその最終的な位置からほぼ９０度である位置において整合させられる。缶端部１００８は、密閉部分１０２０上に存在する。次いで、部分的に組み立てられた閉鎖システムのレバー１０９４は、頂部カバー１０１８の残存部分を通して挿入される。次いで、頂部カバー１０１８の残存部分は、下げられ、頂部カバー１０１８のアーム１０２１も、枢動させられ、それによって、レバー１０９４のピン１０３３の端部１０３５は、アーム１０２１の開口部１０３１と嵌合する。頂部カバー１０１８が、缶端部１００８から、例えば缶端部１００８から０．０２インチ（約０．５ｍｍ）といった所定の距離だけ下げられ、アーム１０２１が、例えば缶端部１００８から５度といった、缶端部１００８から所定の角度にあると、缶端部１００８は、９０度回転させることができ、アーム１０２１およびフック１０２９を含む、頂部カバー１０１８の複数の部分を、適所にスナップ留めして、缶端部１００８を固着することを可能にする。頂部カバー１０２１は、また、缶端部１００８の溝形ガイド内で整合し、頂部カバー１０１８の缶端部の溝形ガイドとの適切な整合を確保するのを支援する、突起１０４３を備える。
【０１２４】
本開示の別の実施形態は、容器本体と嵌合するように構成される容器を密閉するための閉鎖システムに関する。図３７Ａおよび図３７Ｂを参照すると、概して１１００で示される閉鎖システムは、容器本体を伴わずに示される。示されるように、閉鎖システム１１００は、缶端部１１０２を統合した固定要素と、概して１１０４で示される可動式の閉鎖要素とを含む。図３７Ａおよび図３７Ｂでは、可動式の閉鎖要素１１０４は、第１の閉鎖位置で例示される。缶端部１１０２は、容器本体の端部に固着されるように構成される、リム部分（指定せず）を含む。
【０１２５】
具体的には、図４３Ａ、図４３Ｂ、図４３Ｃ、および図４３Ｄを参照すると、缶端部１１０２は、容器本体（図示せず）に好適に固着されるように構成され、缶端部の本体１１０６の中に形成される分与部分１１０８および溝形ガイド１１１０を有する、本体１１０６を含む。溝形ガイド１１１０は、第１の端部１１１２と、第２の端部１１１４とを含む。可動式の閉鎖要素１１０４は、頂部カバー１１１６と、密閉部分１１１８とを含む。
【０１２６】
頂部カバー１１１６は、示された実施形態では、本体１１２０と、本体１１２０に枢動可能に固着されるように構成される分離されたレバー１１２２とを含む。レバー１１２２は、バー要素１１２４を含んでおり、バー要素１１２４は、頂部カバー１１１６の本体１１２０の中に形成される、それぞれ１１２６で示される一対のノッチ内に受容される。この配設は、頂部カバー１１１６に関してレバー１１２２が枢動することが可能であるようになっており、その目的を以下にさらに詳細に説明する。
【０１２７】
密閉部分１１１８は、示される実施形態では、密閉部分１１１８から上向きに延在する、３つのフィンガー１１２８、１１３０、および１１３２によって表される、レバー受容部分を含む。フィンガー１１２８、１１３０、および１１３２は、密閉部分１１１８を頂部カバー１１１６に固着するように構成され、図５２および図５３を参照して以下にさらに詳細に説明する。フィンガー１１３２は、密閉部分１１１８の本体１１３４に可撓的に接続される。フィンガー１１３２は、図４３Ａに例示される位置から、図４３Ｂに例示される、フィンガー１１３２が、フィンガー１１２８と１１３０との間に配置される位置まで移動することが可能である。図４３Ｃは、密閉部分１１１８の本体１１３４から側方に延在する中間フィンガー１１３２を例示し、図４３Ｄは、フィンガー１１２８と１１３０との間に延在する、中間フィンガー１１３２を例示する。中間フィンガー１１３２の可撓性は、中間フィンガーが、外側フィンガーの間に位置付けられた時に、外側フィンガー１１２８、１１３０に対して垂直に移動することを可能にする。
【０１２８】
この配設は、以下に説明するが、レバー１１２２が持ち上げられる時に、缶端部１１０２に対して密閉部分１１１８を移動させるように、フィンガー１１２８、１１３０、１１３２がレバーの一部分１１３６を受け入れるようになっている。この位置では、頂部カバー１１１６は、分与部分１１０８を露出させるように、第１の端部１１１２から溝形ガイド１１１０の第２の端部１１１２まで水平に移動することが可能である。閉鎖要素１１０４の特定の移動は、図３７〜図４２を参照して以下にさらに詳細に説明する。
【０１２９】
図３７Ａおよび図３７Ｂは、頂部カバー１１１６が分与部分１１０８を覆う、密閉位置を例示する。この位置では、レバー１１２２は、頂部カバー１１１６の本体１１２０上に静置され、密閉部分１１１８は、分与部分１１０８を密閉するように、缶端部１１０２の底面１１３８と接触している。容器本体内の内容物は、容器本体から流出することが阻止される。
【０１３０】
図３８Ａ、図３８Ｂ、および図３８Ｃは、頂部カバー１１１６が、分与部分１１０８を覆い、レバー１１２２が、初期圧力解放を生じさせるように、頂部カバーの本体１１２０に対して垂直位置を達成する手前まで持ち上げられた、弁開口位置を例示する。具体的には、圧力は、レバー１１２２が、頂部カバー１１１６上の静置位置から所定の角度まで持ち上げられた時に、容器から解放される。示されるように、密閉部分１１１８は、分与部分１１０８を密閉するように、缶端部１１０２の底面１１３８とのその接触を維持する。
【０１３１】
図３９Ａ、図３９Ｂ、および図３９Ｃは、頂部カバー１１１６が、分与部分１１０８を覆い、レバー１１２２がさらに、頂部カバーの本体１１２０に対する垂直位置を達成するように持ち上げられた位置を示す。この位置では、レバー１１２２の部分１１３６は、フィンガー１１２８、１１３０、１１３２に係合する。示されるように、密閉部分１１１８は、缶端部１１０２の底面１１３８からある距離だけ離間される。密閉部分１１１８の移動は、中間フィンガー１１３２に係合するレバー１１２２の部分１１３６によって引き起こされ、それによって、中間フィンガー１１３２の移動を引き起こす。
【０１３２】
図４０Ａ、図４０Ｂ、および図４０Ｃは、頂部カバー１１１６が、分与部分１１０８を覆い、レバー１１２２が、図３９Ａおよび図３９Ｂに例示される垂直位置を超えてさらに持ち上げられた位置を例示する。この位置では、レバー１１２２の部分１１３６は、密閉部分１１１８を缶端部１１０２の底面１１３８から所定の距離だけさらに移動させるように、中間フィンガー１１３２に係合する。この位置では、密閉部分１１１８は、最下位置を達成する。
【０１３３】
図４１Ａ、図４１Ｂおよび図４１Ｃは、頂部カバー１１１６および密閉部分１１１８が、分与部分１１０８を露出させる位置を例示する。具体的には、密閉部分１１１８が缶端部１１０２から離間された状態で、頂部カバー１１１６および密閉部分１１１８は、分与部分１１０８を露出させるように、第１の端部１１１２から溝形ガイド１１１０の第２の端部１１１４まで水平に移動することができる。示されるように、レバー１１２２は、図４０Ａおよび図４０Ｂに示されるレバーの位置に維持される。
【０１３４】
そして最後に、図４２Ａ、図４２Ｂ、および図４２Ｃは、レバー１１２２が、頂部カバー１１１６上に静置されるように、図３７Ａに示される位置まで下げられている状態で、頂部カバー１１１６および密閉部分１１１８が分与部分１１０８を露出させる位置を例示する。示されるように、密閉部分１１１８は、缶端部１１０２の底面１１３８と接触している。飲用位置と称されてもよいこの位置では、容器本体の内容物が注がれてもよい。
【０１３５】
ここで、図４４Ａ、図４４Ｂ、図４４Ｃ、図４４Ｄ、および図４４Ｅを参照すると、密閉部分１１１８の本体１１３４に対する中間フィンガー１１３２の移動が例示される。図４４Ａおよび４４Ｂは、伸長位置にある中間フィンガー１１３２を例示する。中間フィンガー１１３２は、弁と称される場合もあり、閉鎖システム１１００の説明を進めるにつれて明らかになることを理解されたい。中間フィンガー１１３２は、フィンガーの移動を可能にする、可撓性ヒンジ１１４０を含む。図４４Ｃ、４４Ｄ、および４４Ｅは、中間フィンガーが、外側フィンガー１１２８と１１３０との間に延在する位置にある、中間フィンガー１１３２を例示する。特に図４４Ｄを参照すると、各フィンガー１１２８、１１３０、および１１３２は、フィンガーの拡張によって形成される表面１１４２を含む。表面１１４２は、レバーが頂部カバー１１１６に枢動可能に固着する時に、レバー１１２２の部分１１３６に係合するように構成される。示されるように、中間フィンガー１１３２の表面１１４２は、外側フィンガー１１２８、１１３０の表面１１４２に対して上昇されている。ここで、図４４Ｅを参照すると、中間フィンガー１１３２は、密閉部分１１１８の底面１１３８の中に形成されるフランジ座１１４６内で受容される、フランジ１１４４を含む。
【０１３６】
図４５Ａおよび図４５Ｂを参照すると、中間フィンガー１１３２の表面１１４２は、全ての外側フィンガー１１２８、１１３０の表面１１４２と同じ高さであるように示される。この移動は、前述の様態でレバーが枢動された時の、レバー１１２２の部分１１３６の係合によって達成される。このレバー１１２２の移動は、外部フィンガー１１２８、１１３０に対する中間フィンガー１１３２の下向きの運動をもたらす。図４５Ｂに示されるように、フランジ１１４４は、フランジ座１１４６から離れて移動し、それによって、中間フィンガー１１３２の本体部分１１５０と密閉部分１１１８との間に空間１１４８を形成する。この空間１１４８は、可動式の閉鎖要素１１０４を開口した時の、容器本体の内容物の初期の圧力解放を可能にする。密閉部分１１１８の本体１１３４は、密閉部分と缶端部１１０２の底面１１３８との密閉係合を作成するように、ゴム製密閉具（指定せず）を含んでもよい。加えて、フランジ座１１４６は、フランジ１１４４とフランジ座との密閉係合を生成するように、ゴム製オーバーモールドを含んでもよい。
【０１３７】
図４６Ａおよび図４６Ｂは、本体１１２０およびノッチ１１２６を有する、頂部カバー１１１６を例示する。頂部カバー１１１６の本体１１２０はさらに、レバー１１２２を頂部カバーに固着するように形成される、それぞれ１１５２で示される、一対のラッチ要素を含む。頂部カバー１１１６の本体１１２０は、それぞれのラッチ要素１１５２に隣接して配置される、それぞれ１１５４で示される、一対のスロットを含む。スロット１１５４は、レバーを枢動する時にレバー１１２２を受容するように構成される。図４６Ｂを参照すると、頂部カバー１１１６の本体１１２０はさらに、それぞれ１１５８で示される、２つのスナップフックを含み、これらは、スナップフックが溝形ガイド１１１０の中に入ると、頂部カバー１１１６を缶端部１１０２に取り付ける。スナップフックは、また、頂部カバーと溝形ガイドとの整合を維持するように、頂部カバー１１１６が溝形ガイドに沿って水平に移動するにつれて、溝形ガイド１１１０に沿って摺動する。
【０１３８】
具体的には、図４７Ａ、図４７Ｂ、図４７Ｃ、図４７Ｄ、および図４７Ｅ、ならびに図４８Ａ、図４８Ｂ、図４８Ｃ、および図４８Ｄを参照すると、頂部カバー１１１６に対するレバー１１２２の枢動接続、およびレバーが頂部カバーに対して枢動する様態が例示される。バー要素１１２４は、頂部カバー１１１６の本体１１２０の中に形成されるノッチ１１２６内で受容するようにサイズ決定される。この構成は、レバー１１２２が、頂部カバー１１１６に対して回転または枢動することを可能にする。図４７Ａに示されるように、レバー１１２２は、それぞれ１１５６で示される、一対の端部要素を含み、これらは、レバーを枢動する時に、頂部カバー１１１６のそれぞれのスロット１１５４の中に延在するように構成される。端部要素１１５６は、レバーがバー要素１１２４を中心として枢動する時に、レバー１１２２のためのガイドを提供するように設計される。図４７Ｂおよび図４８Ａは、頂部カバー１１１６上に静置される、レバー１１２２を例示する。図４７Ｃおよび図４８Ｂは、端部要素１１５６が、それらのそれぞれのスロット１１５４の中に入る状態で、頂部カバー１１１６から離れて垂直位置の直前まで枢動したレバー１１２２を示す。図４７Ｄおよび図４８Ｃは、頂部カバー１１１６に対して垂直位置にあるレバー１１２２を例示する。そして、図４７Ｅおよび図４８Ｄは、頂部カバー１１１６に対する垂直位置を超えたレバー１１２２を例示する。
【０１３９】
この配設は、レバー１１２２の部分１１３６が、フィンガー１１２８、１１３０、および１１３２の表面１１４２を押し下げるように設計されるようになっている。レバー１１２２が開口（枢動された）位置に向かって旋回させられる時、部分１１３６は、フランジ座１１４６からフランジ１１４４を移動させるように、中間フィンガー１１３２の表面１１４２上に下向きの力を印加する。フィンガー１１２８、１１３０、および１１３２の表面１１４２が、相互に同じ高さになると、部分１１３６は、密閉部分１１１８を下向きに移動させる。
【０１４０】
閉鎖システム１１００の組み立ては、以下の通りである。図４９Ａ、図４９Ｂ、および図４９Ｃを参照すると、頂部カバー１１１６は、スナップフック１１５８を缶端部の溝形ガイド１１１０の中に挿入することによって、缶端部１１０２に固着される。これは図４９Ｃに最良に示され、該図は、缶端部１１０２の本体１１０６に係合しているスナップフック１１５８を例示する。
【０１４１】
図５０Ａ、図５０Ｂ、および図５０Ｃは、レバー１１２２の頂部カバー１１１６への取り付けを例示する。レバー１１２２は、図５０Ａに示されるように、頂部カバー１１１６上に位置付けられる。次に、レバー１１２２のバー要素１１２４は、頂部カバー１１１６のノッチ１１２６内で受容される。この位置では、図５０Ｂに示されるように、端部要素１１５６は、それらのそれぞれのスロット１１５４の中に入ることが可能である。レバー１１２２がバー要素１１２４を中心として枢動するにつれて、部分１１３６は、溝形ガイド１１１０内で下向きに移動する。レバー１１２２の枢動運動を図５０Ｃに示す。
【０１４２】
次に、密閉要素１１１８は、溝形ガイド１１１０を通してフィンガー１１２８、１１３０、および１１３２を挿入することによって、頂部カバー１１１６に固着される。これは、図５１Ａ、図５１Ｂ、図５１Ｃ、図５１Ｄ、および図５１Ｅに例示される。図５１Ａおよび図５１Ｂに示されるように、中間フィンガー１１３２は、それが２つの外側フィンガー１１２８と１１３０との間に配置されるように移動する。図５１Ｃ、図５１Ｄ、および図５１Ｄを参照すると、中間フィンガー１１３２（ならびに外側フィンガー１１２８、１１３０）は、レバー１１２２のフック１１６２を受容するようにサイズ決定される、開口部１１６０を含む。図５２Ａ、図５２Ｂ、および図５２Ｃ、ならびに図５３Ａ、図５３Ｂ、および図５３Ｃを参照すると、フィンガー１１２８、１１３０、および１１３２を溝形ガイド１１１０の中に挿入した時に、フィンガーは、レバーがその完全に枢動した位置（垂直位置を超える）にある状態で、レバー１１２２の中に形成される開口部またはスロット１１６４を通して延在する。この位置では、フック１１６２は、密閉要素１１１８を頂部カバー１１１６に固着するように、開口部１１６０内で受容される。
【０１４３】
図５４Ａ、図５４Ｂ、および図５４Ｃは、密閉位置にある閉鎖システム１１００を例示する。示されるように、レバー１１２２は、頂部カバー１１１６の本体１１２０上に静置され、密閉部分１１１８は、分与部分１１０８を密閉するように、缶端部１１０２の底面１１３８と接触している。レバー１１２２は、フィンガー１１２８、１１３０、および１１３２を屈曲させ、よって、フィンガーは、密閉部分１１１８を缶端部１１０２の表面１１３８に向かって上向きに引っ張るように、部分１３６を包み込む。この位置では、フランジ１１４４は、容器本体から環境への流体のあらゆる移送を阻止するように、フランジ座１１４６内に堅固に着座する。
【０１４４】
操作中に、第１の位置では、頂部カバー１１１６は、分与部分１１０８を覆い、頂部カバーのレバー１１２２は、頂部カバー上に静置され、密閉部分１１１８は、缶端部１１０２の底面１１３８と接触している。第２の位置では、頂部カバー１１１６は、分与部分１１０８を覆い、レバー１１２２は、第１の位置に対して持ち上げられ、密閉部分１１１８は、缶端部１１０２の底面１１３８からある距離だけ離間される。この位置では、密閉部分１１１８の缶端部１１０２からの移動は、容器内からの圧力を解放する。特定の実施形態では、レバー１１２２の一部は、容器内からの圧力を解放するように、密閉部分１１１８と整合させられてもよい。第３の位置では、頂部カバー１１１６および密閉部分１１１８は、分与部分１１０８を露出させ、密閉部分は、缶端部１１０２の底面１１３８からある距離だけ離間される。第４の位置では、頂部カバー１１１６および密閉部分１１１８は、分与部分１１０８を露出させ、レバー１１２２は、頂部カバー上に静置されるように下げられ、密閉部分は、缶端部１１０２の底面１１３８と接触している。この位置では、人は、容器から飲むことが可能である。
【０１４５】
第５の位置では、頂部カバー１１１６および密閉部分１１１８は、分与部分１１０８の少なくとも一部分を露出させ、頂部カバーのレバー１１２２は、第４の位置に対して持ち上げられ、密閉部分は、缶端部１１０２の底面１１３８から所定の距離だけ離間される。第６の位置では、頂部カバー１１１６および密閉部分１１１８は、分与部分１１０８の少なくとも一部分を露出させ、頂部カバーのレバー１１２２は、第５の位置に対して下げられ、密閉部分は、缶端部１１０２の底面１１３８と接触している。この位置では、容器は、通気される。
【０１４６】
特定の実施形態では、缶端部１１０２（別様には、固定要素と称される）は、頂部カバー１１１６および密閉部分１１１８のうちの少なくとも１つの材料と適合性がある材料でできている。特定の実施形態では、頂部カバー１１１６および密閉部分１１１８のうちの少なくとも１つは、ポリマー材料でできており、ポリマー材料の総重量は、１０グラム以下である。別の実施形態では、頂部カバー１１１６は、閉鎖システム１１００が開口されたかどうかを示すように構成されてもよい。
【０１４７】
前述の配設のうちのいずれかは、飲料、食品、他の消費財、または非消費財に使用されてもよい。加えて、前述のように、容器は、部分または構成要素の用途および機能に応じて、当業者に公知の任意の材料から作製されてもよい。例えば、容器本体および基板は、従来の缶本体の製造で使用されるアルミニウム材料から作製されてもよい。固定要素、頂部カバー、および密閉部分は、再現可能な許容誤差を作り出すように、共通の成形および押出プロセスから作成されてもよい。可動式の閉鎖要素は、ポリプロピレンから形成されてもよい一方で、缶カバーおよびステムは、ポリエチレンテレフタレートから製造されてもよい。代替的に、缶端部は、従来の缶本体の製造で使用されるアルミニウム材料から製造されてもよい。ガスケットは、シリコン、ゴム、プラスチック等でできていてもよい。特定の実施例では、閉鎖システムの１つもしくは複数の構成要素は、１つ以上のポリマー材料から形成されてもよい。典型的に、ポリマー材料は、閉鎖システムの他の構成要素、および容器の内容物と適合性がある、再利用可能な材料である。閉鎖システムで使用されるポリマー材料の総重量は、工業規格に基づく標準最大重量等の、または政府のガイドラインによって推奨または義務付けられる、所定量未満であってもよい。好ましくは、閉鎖システムで使用されるポリマー材料の総重量は、１０グラム未満、８グラム未満、６．５グラム未満、５グラム未満、３．７５グラム未満、または３．２グラム未満である。
【０１４８】
容器およびそれらの作製方法を、特定の実施例および実施形態に関して上記に説明してきたが、本開示の利点を考慮して、種々の変更、修正、代替、追加、および改良が、当業者には容易に明らかになるであろう。このような変更、修正、代替、追加、および改良は、本明細書で開示される容器の範囲および精神の範囲内にあることが意図される。また、不定冠詞「ａ（１つの）」および「ａｎ（１つの）」は、明細書および添付の特許請求の範囲で使用される場合、それらが修飾する物品のうちの１つもしくは複数を意味すること、および用語「含む（ｉｎｃｌｕｄｅ）」、「含んでいる（ｉｎｃｌｕｄｉｎｇ）」、および「有している（ｈａｖｉｎｇ）」は、オープンエンド用語「備えている（ｃｏｍｐｒｉｓｉｎｇ）」と交換可能であることが意図される。移行句「から成る（ｃｏｎｓｉｓｔｉｎｇ  ｏｆ）」および「〜から本質的に成る（ｃｏｎｓｉｓｔｉｎｇ  ｅｓｓｅｎｔｉａｌｌｙ  ｏｆ）」のみ、特許請求の範囲に関して、それぞれ、クローズドまたはセミクローズド移行句である。
【０１４９】
請求項要素を修飾するための、「第１の」、「第２の」、「第３の」等の順序を示す用語の請求項での使用は、それ自体で、１つの請求項要素の別のものに対する、またはある方法が実施される時間的順序の、いかなる優先度、先行性、または順序をも暗示するのではなく、請求項の要素を区別するために、特定の名称を有する１つの請求項要素を、（順序を示す用語の使用ではなく）同じ名称を有する別の要素から区別するためのラベルとして利用されるに過ぎない。
【０１５０】
当業者は、本明細書に記載するパラメータおよび構成は、例示的なものであり、かつ実際のパラメータおよび／または構成は、本発明のシステムおよび技術が使用される具体的な用途に依存するであろうことを理解すべきである。当業者は、また、ルーチン実験を超えるものを用いなくても、本発明の特定の実施例に対する同等物を認識する、または確認することができるべきである。したがって、本明細書に記載する実施例は、一例として示されたものに過ぎず、添付の特許請求の範囲およびその同等物の範囲内で、本発明が特に記載されたものとは異なって実行される場合もあると理解されたい。
【図１Ａ】
0005452610.tif 000002
【図１Ｂ】
0005452610.tif 000003
【図１Ｃ】
0005452610.tif 000004
【図２Ａ】
0005452610.tif 000005
【図２Ｂ】
0005452610.tif 000006
【図３Ａ】
0005452610.tif 000007
【図３Ｂ】
0005452610.tif 000008
【図３Ｃ】
0005452610.tif 000009
【図３Ｄ】
0005452610.tif 000010
【図４Ａ】
0005452610.tif 000011
【図４Ｂ】
0005452610.tif 000012
【図４Ｃ】
0005452610.tif 000013
【図４Ｄ】
0005452610.tif 000014
【図５Ａ】
0005452610.tif 000015
【図５Ｂ】
0005452610.tif 000016
【図５Ｃ】
0005452610.tif 000017
【図５Ｄ】
0005452610.tif 000018
【図５Ｅ】
0005452610.tif 000019
【図６Ａ】
0005452610.tif 000020
【図６Ｂ】
0005452610.tif 000021
【図７Ａ】
0005452610.tif 000022
【図７Ｂ】
0005452610.tif 000023
【図８Ａ】
0005452610.tif 000024
【図８Ｂ】
0005452610.tif 000025
【図９Ａ】
0005452610.tif 000026
【図９Ｂ】
0005452610.tif 000027
【図９Ｃ】
0005452610.tif 000028
【図９Ｄ】
0005452610.tif 000029
【図９Ｅ】
0005452610.tif 000030
【図９Ｆ】
0005452610.tif 000031
【図１０Ａ】
0005452610.tif 000032
【図１０Ｂ】
0005452610.tif 000033
【図１１Ａ】
0005452610.tif 000034
【図１１Ｂ】
0005452610.tif 000035
【図１２Ａ】
0005452610.tif 000036
【図１２Ｂ】
0005452610.tif 000037
【図１３Ａ】
0005452610.tif 000038
【図１３Ｂ】
0005452610.tif 000039
【図１４Ａ】
0005452610.tif 000040
【図１４Ｂ】
0005452610.tif 000041
【図１５Ａ】
0005452610.tif 000042
【図１５Ｂ】
0005452610.tif 000043
【図１６Ａ】
0005452610.tif 000044
【図１６Ｂ】
0005452610.tif 000045
【図１７Ａ】
0005452610.tif 000046
【図１７Ｂ】
0005452610.tif 000047
【図１８Ａ】
0005452610.tif 000048
【図１９Ａ】
0005452610.tif 000049
【図１９Ｂ】
0005452610.tif 000050
【図２０Ａ】
0005452610.tif 000051
【図２０Ｂ】
0005452610.tif 000052
【図２１Ａ】
0005452610.tif 000053
【図２１Ｂ】
0005452610.tif 000054
【図２２Ａ】
0005452610.tif 000055
【図２２Ｂ】
0005452610.tif 000056
【図２３Ａ】
0005452610.tif 000057
【図２３Ｂ】
0005452610.tif 000058
【図２４Ａ】
0005452610.tif 000059
【図２４Ｂ】
0005452610.tif 000060
【図２５Ａ】
0005452610.tif 000061
【図２５Ｂ】
0005452610.tif 000062
【図２５Ｃ】
0005452610.tif 000063
【図２６Ａ】
0005452610.tif 000064
【図２６Ｂ】
0005452610.tif 000065
【図２６Ｃ】
0005452610.tif 000066
【図２７Ａ】
0005452610.tif 000067
【図２７Ｂ】
0005452610.tif 000068
【図２７Ｃ】
0005452610.tif 000069
【図２８Ａ】
0005452610.tif 000070
【図２８Ｂ】
0005452610.tif 000071
【図２８Ｃ】
0005452610.tif 000072
【図２９Ａ】
0005452610.tif 000073
【図２９Ｂ】
0005452610.tif 000074
【図２９Ｃ】
0005452610.tif 000075
【図３０Ａ】
0005452610.tif 000076
【図３０Ｂ】
0005452610.tif 000077
【図３０Ｃ】
0005452610.tif 000078
【図３１Ａ】
0005452610.tif 000079
【図３１Ｂ】
0005452610.tif 000080
【図３１Ｃ】
0005452610.tif 000081
【図３２Ａ】
0005452610.tif 000082
【図３２Ｂ】
0005452610.tif 000083
【図３２Ｃ】
0005452610.tif 000084
【図３３Ａ】
0005452610.tif 000085
【図３３Ｂ】
0005452610.tif 000086
【図３３Ｃ】
0005452610.tif 000087
【図３４Ａ】
0005452610.tif 000088
【図３４Ｂ】
0005452610.tif 000089
【図３４Ｃ】
0005452610.tif 000090
【図３５Ａ】
0005452610.tif 000091
【図３５Ｂ】
0005452610.tif 000092
【図３６Ａ】
0005452610.tif 000093
【図３６Ｂ】
0005452610.tif 000094
【図３７Ａ】
0005452610.tif 000095
【図３７Ｂ】
0005452610.tif 000096
【図３８Ａ】
0005452610.tif 000097
【図３８Ｂ】
0005452610.tif 000098
【図３８Ｃ】
0005452610.tif 000099
【図３９Ａ】
0005452610.tif 000100
【図３９Ｂ】
0005452610.tif 000101
【図３９Ｃ】
0005452610.tif 000102
【図４０Ａ】
0005452610.tif 000103
【図４０Ｂ】
0005452610.tif 000104
【図４０Ｃ】
0005452610.tif 000105
【図４１Ａ】
0005452610.tif 000106
【図４１Ｂ】
0005452610.tif 000107
【図４１Ｃ】
0005452610.tif 000108
【図４２Ａ】
0005452610.tif 000109
【図４２Ｂ】
0005452610.tif 000110
【図４２Ｃ】
0005452610.tif 000111
【図４３Ａ】
0005452610.tif 000112
【図４３Ｂ】
0005452610.tif 000113
【図４３Ｃ】
0005452610.tif 000114
【図４３Ｄ】
0005452610.tif 000115
【図４４Ａ】
0005452610.tif 000116
【図４４Ｂ】
0005452610.tif 000117
【図４４Ｃ】
0005452610.tif 000118
【図４４Ｄ】
0005452610.tif 000119
【図４４Ｅ】
0005452610.tif 000120
【図４５Ａ】
0005452610.tif 000121
【図４５Ｂ】
0005452610.tif 000122
【図４６Ａ】
0005452610.tif 000123
【図４６Ｂ】
0005452610.tif 000124
【図４７Ａ】
0005452610.tif 000125
【図４７Ｂ】
0005452610.tif 000126
【図４７Ｃ】
0005452610.tif 000127
【図４７Ｄ】
0005452610.tif 000128
【図４７Ｅ】
0005452610.tif 000129
【図４８Ａ】
0005452610.tif 000130
【図４８Ｂ】
0005452610.tif 000131
【図４８Ｃ】
0005452610.tif 000132
【図４８Ｄ】
0005452610.tif 000133
【図４９Ａ】
0005452610.tif 000134
【図４９Ｂ】
0005452610.tif 000135
【図４９Ｃ】
0005452610.tif 000136
【図５０Ａ】
0005452610.tif 000137
【図５０Ｂ】
0005452610.tif 000138
【図５０Ｃ】
0005452610.tif 000139
【図５１Ａ】
0005452610.tif 000140
【図５１Ｂ】
0005452610.tif 000141
【図５１Ｃ】
0005452610.tif 000142
【図５１Ｄ】
0005452610.tif 000143
【図５１Ｅ】
0005452610.tif 000144
【図５２Ａ】
0005452610.tif 000145
【図５２Ｂ】
0005452610.tif 000146
【図５２Ｃ】
0005452610.tif 000147
【図５３Ａ】
0005452610.tif 000148
【図５３Ｂ】
0005452610.tif 000149
【図５３Ｃ】
0005452610.tif 000150
【図５４Ａ】
0005452610.tif 000151
【図５４Ｂ】
0005452610.tif 000152
【図５４Ｃ】
0005452610.tif 000153